(57)【要約】本発明は、画像処理の分野に属し、撮影パラメータの調節方法、装置、プログラム、及び記録媒体に関する。前記方法は、タッチスクリーン表示された撮影ファインダー上においてトリガーされるクリック信号を受信するステップと、前記クリック信号のクリック位置を中心として撮影パラメータに対応するスライド調節コントローラを表示するステップと、前記スライド調節コントローラに作用したスライドタッチ信号を受信するステップと、前記スライドタッチ信号に基づいて前記撮影パラメータを調節するステップと、を含む。本発明は、ユーザがタッチスクリーンにおけるボタンにより撮影パラメータを調節する場合、調節過程の操作階層が多すぎて効率が比較的低い問題を解決した。ユーザがスライド調節コントローラにおいて直接にスライドタッチ信号を用い、撮影パラメータを調節することができるため、操作過程全体は、とても簡単で敏捷であり、効率が比較的高いという効果を達成する。【選択図】図１Ａ
2016533100.tif 000002
【特許請求の範囲】
【請求項１】
タッチスクリーンに表示された撮影ファインダー上においてトリガーされるクリック信号を受信するステップと、
前記クリック信号のクリック位置を参考位置として、撮影パラメータに対応するスライド調節コントローラを表示するステップと、
前記スライド調節コントローラに作用したスライドタッチ信号を受信するステップと、
前記スライドタッチ信号に基づいて前記撮影パラメータを調節するステップと、を含むことを特徴とする、
撮影パラメータの調節方法。
【請求項２】
前記クリック信号のクリック位置を参考位置として、撮影パラメータに対応するスライド調節コントローラを表示するステップは、
前記クリック信号のクリック位置を円心として、１個の撮影パラメータに対応するダイヤル調節コントローラを表示するステップを含み、
前記ダイヤル調節コントローラの表示様式は、完全な円形、不完全な円形、完全な環形、および不完全な環形のうちのいずれか１種であることを特徴とする、
請求項１に記載の方法。
【請求項３】
コントローラ切替信号を受信するステップと、
前記コントローラ切替信号に基づいて、前記撮影パラメータに対応するダイヤル調節コントローラを、他の一つの撮影パラメータに対応するダイヤル調節コントローラに切り替えて表示するステップとをさらに含むことを特徴とする、
請求項２に記載の方法。
【請求項４】
前記クリック信号のクリック位置を参考位置として、撮影パラメータに対応するスライド調節コントローラを表示するステップは、
前記クリック信号のクリック位置を円心として、同一の前記円心に基づいて、ｎ（ｎ≧２）個の撮影パラメータに対応するｎ個のダイヤル調節コントローラを表示し、各撮影パラメータが１個のダイヤル調節コントローラに対応するステップを含み、
前記ダイヤル調節コントローラの表示様式は、完全な円形、不完全な円形、完全な環形および不完全な環形のうちのいずれか１種であることを特徴とする、
請求項１に記載の方法。
【請求項５】
同一の前記円心に基づいて、ｎ個の撮影パラメータに対応するｎ個のダイヤル調節コントローラを表示するステップは、
異なる半径で同一の円心の同心円の様式でｎ個の撮影パラメータに対応するｎ個のダイヤル調節コントローラを表示するステップ、
または、
前記円心により位置決めされる同一環形における異なる弧度位置に、前記ｎ個のダイヤル調節コントローラを表示するステップ
を含むことを特徴とする、
請求項４に記載の方法。
【請求項６】
前記スライドタッチ信号に基づいて前記撮影パラメータを調節するステップは、
前記スライドタッチ信号が時計回り方向のスライド信号である場合、前記撮影パラメータを増大し、増大の幅と前記時計回り方向のスライド信号のスライド軌跡の軌跡の長さとが正の相関関係にあるステップと、
前記スライドタッチ信号が反時計回り方向のスライド信号である場合、前記撮影パラメータを減少し、減少の幅と前記反時計回り方向のスライド信号のスライド軌跡の軌跡の長さとが正の相関関係にあるステップとを含み、
または、
前記スライドタッチ信号が時計回り方向のスライド信号である場合、前記撮影パラメータを減少し、減少の幅と前記時計回り方向のスライド信号のスライド軌跡の軌跡の長さとが正の相関関係にあるステップと、
前記スライドタッチ信号が反時計回り方向のスライド信号である場合、前記撮影パラメータを増大し、増大の幅と前記反時計回り方向のスライド信号のスライド軌跡の軌跡の長さとが正の相関関係にあるステップとを含むことを特徴とする、
請求項２〜５のいずれか１項に記載の方法。
【請求項７】
前記スライドタッチ信号に基づいて前記撮影パラメータを調節するステップは、
前記スライドタッチ信号のスライド速度が所定閾値を超えるか否かを検出するステップと、
前記スライドタッチ信号のスライド速度が前記所定閾値を超えた場合、前記撮影パラメータをディフォルト値に調節するステップと、
を含むことを特徴とする、
請求項２〜５のいずれか１項に記載の方法。
【請求項８】
前記ダイヤル調節コントローラに、前記撮影パラメータに対応する目盛り標識が設置されることを特徴とする、請求項２〜５のいずれか１項に記載の方法。
【請求項９】
前記撮影パラメータは、露光補正値、ホワイトバランス値、感光度、絞り値、フォーカスの焦点距離、およびシャッター速度のうちの少なくとも１種を含むことを特徴とする、請求項１〜５のいずれか１項に記載の方法。
【請求項１０】
前記クリック信号のクリック位置をフォーカス位置として、オートフォーカスを行うステップをさらに含むことを特徴とする、
請求項１〜５のいずれか１項に記載の方法。
【請求項１１】
前記オートフォーカスを終了した後、前記スライド調節コントローラに作用したクリック信号を受信するステップと、
前記クリックモジュールが前記クリック信号を受信した後、前記撮影パラメータに基づいて撮影を行うステップとを、さらに含むことを特徴とする、
請求項１０に記載の方法。
【請求項１２】
タッチスクリーンに表示された撮影ファインダー上においてトリガーされるクリック信号を受信するように配置されるクリック受信モジュールと、
前記クリック信号のクリック位置を参考位置として、撮影パラメータに対応するスライド調節コントローラを表示するように配置されるコントローラ表示モジュールと、
前記スライド調節コントローラに作用したスライドタッチ信号を受信するように配置されるスライド受信モジュールと、
前記スライドタッチ信号に基づいて前記撮影パラメータを調節するように配置されるパラメータ調節モジュールと、を備えることを特徴とする、
撮影パラメータの調節装置。
【請求項１３】
前記コントローラ表示モジュールは、前記クリック信号のクリック位置を参考位置として、１個の撮影パラメータに対応するダイヤル調節コントローラを表示するように配置され、前記ダイヤル調節コントローラの表示様式は、完全な円形、不完全な円形、完全な環形、および不完全な環形のうちのいずれか１種であることを特徴とする、
請求項１２に記載の装置。
【請求項１４】
コントローラ切替信号を受信するように配置される切替受信モジュールと、
前記コントローラ切替信号に基づいて、前記撮影パラメータに対応するダイヤル調節コントローラを、他の一つの撮影パラメータに対応するダイヤル調節コントローラに切り替えて表示するように配置されるコントローラ切替モジュールとを、さらに備えることを特徴とする、
請求項１３に記載の装置。
【請求項１５】
前記コントローラ表示モジュールは、前記クリック信号のクリック位置を円心として、同一の前記円心に基づいて、ｎ個の撮影パラメータに対応するｎ（ｎ≧２）個のダイヤル調節コントローラを表示し、各撮影パラメータが１個のダイヤル調節コントローラに対応するように配置され、
前記ダイヤル調節コントローラの表示様式は、完全な円形、不完全な円形、完全な環形および不完全な環形のうちのいずれか１種であることを特徴とする、
請求項１２に記載の装置。
【請求項１６】
前記コントローラ表示モジュールは、
異なる半径で同一の円心の同心円の様式でｎ個の撮影パラメータに対応するｎ個のダイヤル調節コントローラを表示するように配置される同心円表示ユニット、
または、
前記円心により位置決めされる同一環形における異なる弧度位置に前記ｎ個のダイヤル調節コントローラを表示するように配置される弧度表示ユニット、
を備えることを特徴とする、
請求項１５に記載の装置。
【請求項１７】
前記パラメータ調節モジュールは、
前記スライドタッチ信号が時計回り方向のスライド信号である場合、前記撮影パラメータを増大し、増大の幅と前記時計回り方向のスライド信号のスライド軌跡の軌跡の長さとが正の相関関係にあるように配置される第１の調節ユニットと、
前記スライドタッチ信号が反時計回り方向のスライド信号である場合、前記撮影パラメータを減少し、減少の幅と前記反時計回り方向のスライド信号のスライド軌跡の軌跡の長さとが正の相関関係にあるように配置される第２の調節ユニットと、を備え、
または、
前記スライドタッチ信号が時計回り方向のスライド信号である場合、前記撮影パラメータを減少し、減少の幅と前記時計回り方向のスライド信号のスライド軌跡の軌跡の長さとが正の相関関係にあるように配置される第３の調節ユニットと、
前記スライドタッチ信号が反時計回り方向のスライド信号である場合、前記撮影パラメータを増大し、増大の幅と前記反時計回り方向のスライド信号のスライド軌跡の軌跡の長さとが正の相関関係にあるように配置される第４の調節ユニットと、を備えることを特徴とする、
請求項１３〜１６のいずれか１項に記載の装置。
【請求項１８】
前記パラメータ調節モジュールは、
前記スライドタッチ信号のスライド速度が所定閾値を超えるか否かを検出するように配置される速度検出ユニットと、
前記スライドタッチ信号のスライド速度が前記所定閾値を超えた場合、前記撮影パラメータをディフォルト値に調節するように配置されるパラメータリセットユニットと、を備えることを特徴とする、
請求項１３〜１６のいずれか１項に記載の装置。
【請求項１９】
前記ダイヤル調節コントローラに、前記撮影パラメータに対応する目盛り標識が設置されることを特徴とする、請求項１２〜１６のいずれか１項に記載の装置。
【請求項２０】
前記撮影パラメータは、露光補正値、ホワイトバランス値、感光度、絞り値、フォーカスの焦点距離、およびシャッター速度のうちの少なくとも１種を含むことを特徴とする、請求項１２〜１６のいずれか１項に記載の装置。
【請求項２１】
前記クリック信号のクリック位置をフォーカス位置として、オートフォーカスを行うように配置されるオートフォーカスモジュールをさらに備えることを特徴とする、
請求項１２〜１６のいずれか１項に記載の装置。
【請求項２２】
前記オートフォーカスを終了した後、前記スライド調節コントローラに作用したクリック信号を受信するように配置されるクリックモジュールと、
前記クリックモジュールが前記クリック信号を受信した後、前記撮影パラメータに基づいて撮影を行うように配置される撮影モジュールとを、さらに備えることを特徴とする、
請求項２１に記載の装置。
【請求項２３】
プロセッサと、
前記プロセッサが実行可能な指令を記憶するためのメモリと、を備え、
前記プロセッサは、
タッチスクリーンに表示された撮影ファインダー上においてトリガーされるクリック信号を受信し、
前記クリック信号のクリック位置を参考位置として、撮影パラメータに対応するスライド調節コントローラを表示し、
前記スライド調節コントローラに作用したスライドタッチ信号を受信し、
前記スライドタッチ信号に基づいて前記撮影パラメータを調節するように配置されることを特徴とする、
撮影パラメータの調節装置。
【発明の詳細な説明】
【相互参照】
【０００１】
本願は、出願番号がＣＮ２０１４１０３４５５４５．６であって、出願日が２０１４年７月１８日である中国特許出願に基づき優先権を主張し、当該中国特許出願のすべての内容を本願に援用する。
【技術分野】
【０００２】
本発明は、画像処理の分野に関し、特に、撮影パラメータの調節方法および装置に関する。
【背景技術】
【０００３】
現在、スマートフォン、タブレットＰＣのような電子機器は、だんだん人々の生活必需品になってきた。これらの電子機器を用いて写真を撮影することは、ユーザに最もよく使われる機能である。
【０００４】
撮影の過程において、一眼レフカメラが機械装置により撮影パラメータを調節することと異なるのは、上記電子機器は、通常、いずれもタッチスクリーンにより撮影パラメータを調節することである。即ち、撮影を開始した後、電子機器がタッチスクリーンに１つの撮影ファインダーを表示するとともに、撮影ファインダーの一辺にいくつかのボタン、例えば、撮影モード選択ボタン、露光制御ボタン、ホワイトバランス制御ボタン等を表示することができる。ユーザは、ある撮影パラメータを調整する必要がある場合、相応のボタンをクリックすることにより、相応のプルダウンメニューの表示をトリガーすることができ、その後、当該プルダウンメニューにおいて当該撮影パラメータに対して選択または調節を行う。
【０００５】
発明人らは、本発明を実現する過程において、上記形態は少なくとも次の欠点、即ち、ユーザがタッチスクリーンにおけるボタンにより撮影パラメータを調節する場合、通常、モバイル端末が当該撮影パラメータに対応するプルダウンメニューを表示し得るために、選択操作を２〜３回行う必要があり、そしてユーザが当該撮影パラメータを調節して始めることができるようになり、調節プロセス全体の操作の階層が多すぎて効率が比較的低いという欠点を有することを見出した。
【発明の概要】
【０００６】
従来技術において、ユーザがタッチスクリーンにおけるボタンにより撮影パラメータを調節する時に、調節プロセスの操作階層が多すぎて効率が比較的低い問題を解決するために、本発明に係る実施例では、撮影パラメータの調節方法、および装置を提供する。前記の技術案は、次の通りである。
【０００７】
本発明に係る第１態様では、タッチスクリーンに表示された撮影ファインダー上においてトリガーされるクリック信号を受信するステップと、
前記クリック信号のクリック位置を参考位置として、撮影パラメータに対応するスライド調節コントローラを表示するステップと、
前記スライド調節コントローラに作用したスライドタッチ信号を受信するステップと、
前記スライドタッチ信号に基づいて前記撮影パラメータを調節するステップと、を含む撮影パラメータの調節方法を提供する。
【０００８】
選択的に、前記クリック信号のクリック位置を参考位置として、撮影パラメータに対応するスライド調節コントローラを表示するステップは、
前記クリック信号のクリック位置を円心として、１個の撮影パラメータに対応するダイヤル調節コントローラを表示するステップを含み、
前記ダイヤル調節コントローラの表示様式は、完全な円形、不完全な円形、完全な環形、および不完全な環形のうちのいずれか１種である。
【０００９】
選択的に、前記方法は、
コントローラ切替信号を受信するステップと、
前記コントローラ切替信号に基づいて、前記撮影パラメータに対応するダイヤル調節コントローラを、他の一つの撮影パラメータに対応するダイヤル調節コントローラに切り替えて表示するステップとをさらに含む。
【００１０】
選択的に、前記クリック信号のクリック位置を参考位置として、撮影パラメータに対応するスライド調節コントローラを表示するステップは、
前記クリック信号のクリック位置を円心として、同一の前記円心に基づいて、ｎ（ｎ≧２）個の撮影パラメータに対応するｎ個のダイヤル調節コントローラを表示し、各撮影パラメータが１個のダイヤル調節コントローラに対応するステップを含み、
前記ダイヤル調節コントローラの表示様式は、完全な円形、不完全な円形、完全な環形および不完全な環形のうちのいずれか１種である。
【００１１】
選択的に、同一の前記円心に基づいて、ｎ個の撮影パラメータに対応するｎ個のダイヤル調節コントローラを表示するステップは、
異なる半径で同一の円心の同心円の様式でｎ個の撮影パラメータに対応するｎ個のダイヤル調節コントローラを表示するステップ、
または、
前記円心により位置決めされる同一環形における異なる弧度位置に、前記ｎ個のダイヤル調節コントローラを表示するステップ
を含む。
【００１２】
選択的に、前記スライドタッチ信号に基づいて前記撮影パラメータを調節するステップは、
前記スライドタッチ信号が時計回り方向のスライド信号である場合、前記撮影パラメータを増大し、増大の幅と前記時計回り方向のスライド信号のスライド軌跡の軌跡の長さとが正の相関関係にあるステップと、
前記スライドタッチ信号が反時計回り方向のスライド信号である場合、前記撮影パラメータを減少し、減少の幅と前記反時計回り方向のスライド信号のスライド軌跡の軌跡の長さとが正の相関関係にあるステップとを含み、
または、
前記スライドタッチ信号が時計回り方向のスライド信号である場合、前記撮影パラメータを減少し、減少の幅と前記時計回り方向のスライド信号のスライド軌跡の軌跡の長さとが正の相関関係にあるステップと、
前記スライドタッチ信号が反時計回り方向のスライド信号である場合、前記撮影パラメータを増大し、増大の幅と前記反時計回り方向のスライド信号のスライド軌跡の軌跡の長さとが正の相関関係にあるステップとを含む。
【００１３】
選択的に、前記スライドタッチ信号に基づいて前記撮影パラメータを調節するステップは、
前記スライドタッチ信号のスライド速度が所定閾値を超えるか否かを検出するステップと、
前記スライドタッチ信号のスライド速度が前記所定閾値を超えた場合、前記撮影パラメータをディフォルト値に調節するステップと、
を含む。
【００１４】
選択的に、前記ダイヤル調節コントローラに、前記撮影パラメータに対応する目盛り標識が設置される。
【００１５】
選択的に、前記撮影パラメータは、露光補正値、ホワイトバランス値、感光度、絞り値、フォーカスの焦点距離、およびシャッター速度のうちの少なくとも１種を含む。
【００１６】
選択的に、前記方法は、
前記クリック信号のクリック位置をフォーカス位置として、オートフォーカスを行うステップをさらに含む。
【００１７】
選択的に、前記方法は、
前記オートフォーカスを終了した後、前記スライド調節コントローラに作用したクリック信号を受信するステップと、
前記クリックモジュールが前記クリック信号を受信した後、前記撮影パラメータに基づいて撮影を行うステップとを、さらに含む。
【００１８】
本発明に係る第２の態様では、タッチスクリーンに表示された撮影ファインダー上においてトリガーされるクリック信号を受信するように配置されるクリック受信モジュールと、
前記クリック信号のクリック位置を参考位置として、撮影パラメータに対応するスライド調節コントローラを表示するように配置されるコントローラ表示モジュールと、
前記スライド調節コントローラに作用したスライドタッチ信号を受信するように配置されるスライド受信モジュールと、
前記スライドタッチ信号に基づいて前記撮影パラメータを調節するように配置されるパラメータ調節モジュールと、を備える撮影パラメータの調節装置を提供する。
【００１９】
選択的に、前記コントローラ表示モジュールは、前記クリック信号のクリック位置を参考位置として、１個の撮影パラメータに対応するダイヤル調節コントローラを表示するように配置され、前記ダイヤル調節コントローラの表示様式は、完全な円形、不完全な円形、完全な環形、および不完全な環形のうちのいずれか１種である。
【００２０】
選択的に、前記装置は、
コントローラ切替信号を受信するように配置される切替受信モジュールと、
前記コントローラ切替信号に基づいて、前記撮影パラメータに対応するダイヤル調節コントローラを、他の一つの撮影パラメータに対応するダイヤル調節コントローラに切り替えて表示するように配置されるコントローラ切替モジュールとを、さらに備える。
【００２１】
選択的に、前記コントローラ表示モジュールは、前記クリック信号のクリック位置を円心として、同一の前記円心に基づいて、ｎ個の撮影パラメータに対応するｎ（ｎ≧２）個のダイヤル調節コントローラを表示し、各撮影パラメータが１個のダイヤル調節コントローラに対応するように配置され、
前記ダイヤル調節コントローラの表示様式は、完全な円形、不完全な円形、完全な環形および不完全な環形のうちのいずれか１種である。
【００２２】
選択的に、前記コントローラ表示モジュールは、
異なる半径で同一の円心の同心円の様式でｎ個の撮影パラメータに対応するｎ個のダイヤル調節コントローラを表示するように配置される同心円表示ユニット、
または、
前記円心により位置決めされる同一環形における異なる弧度位置に前記ｎ個のダイヤル調節コントローラを表示するように配置される弧度表示ユニット、
を備える。
【００２３】
選択的に、前記パラメータ調節モジュールは、
前記スライドタッチ信号が時計回り方向のスライド信号である場合、前記撮影パラメータを増大し、増大の幅と前記時計回り方向のスライド信号のスライド軌跡の軌跡の長さとが正の相関関係にあるように配置される第１の調節ユニットと、
前記スライドタッチ信号が反時計回り方向のスライド信号である場合、前記撮影パラメータを減少し、減少の幅と前記反時計回り方向のスライド信号のスライド軌跡の軌跡の長さとが正の相関関係にあるように配置される第２の調節ユニットと、を備え、
または、
前記スライドタッチ信号が時計回り方向のスライド信号である場合、前記撮影パラメータを減少し、減少の幅と前記時計回り方向のスライド信号のスライド軌跡の軌跡の長さとが正の相関関係にあるように配置される第３の調節ユニットと、
前記スライドタッチ信号が反時計回り方向のスライド信号である場合、前記撮影パラメータを増大し、増大の幅と前記反時計回り方向のスライド信号のスライド軌跡の軌跡の長さとが正の相関関係にあるように配置される第４の調節ユニットと、を備える。
【００２４】
選択的に、前記パラメータ調節モジュールは、
前記スライドタッチ信号のスライド速度が所定閾値を超えるか否かを検出するように配置される速度検出ユニットと、
前記スライドタッチ信号のスライド速度が前記所定閾値を超えた場合、前記撮影パラメータをディフォルト値に調節するように配置されるパラメータリセットユニットと、を備える。
【００２５】
選択的に、前記ダイヤル調節コントローラに前記撮影パラメータに対応する目盛り標識が設置される。
【００２６】
選択的に、前記撮影パラメータは、露光補正値、ホワイトバランス値、感光度、絞り値、フォーカスの焦点距離、およびシャッター速度のうちの少なくとも１種を含む。
【００２７】
選択的に、前記装置は、前記クリック信号のクリック位置をフォーカス位置として、オートフォーカスを行うように配置されるオートフォーカスモジュールをさらに備える。
【００２８】
選択的に、前記装置は、
前記オートフォーカスを終了した後、前記スライド調節コントローラに作用したクリック信号を受信するように配置されるクリックモジュールと、
前記クリックモジュールが前記クリック信号を受信した後、前記撮影パラメータに基づいて撮影を行うように配置される撮影モジュールとを、さらに備える。
【００２９】
本発明に係る第３の態様では、プロセッサと、
前記プロセッサが実行可能な指令を記憶するためのメモリと、を備え、
前記プロセッサは、
タッチスクリーンに表示された撮影ファインダー上においてトリガーされるクリック信号を受信し、
前記クリック信号のクリック位置を参考位置として、撮影パラメータに対応するスライド調節コントローラを表示し、
前記スライド調節コントローラに作用したスライドタッチ信号を受信し、
前記スライドタッチ信号に基づいて前記撮影パラメータを調節するように配置される撮影パラメータの調節装置を提供する。
【００３０】
本発明に係る実施例に提供された技術案では、次の有益な効果を果たすことができる。
即ち、クリック信号のクリック位置を中心として、撮影パラメータに対応するスライド調節コントローラを表示し、スライド調節コントローラに作用したスライドタッチ信号を受信し、スライドタッチ信号に基づいて撮影パラメータを調節する。これにより、ユーザがタッチスクリーンにおけるボタンにより撮影パラメータを調節する場合、調節過程の操作階層が多すぎて効率が比較的低い問題を解決した。ユーザがスライド調節コントローラにおいて直接にスライドタッチ信号を用い、撮影パラメータを調節することができるため、操作過程全体は、とても簡単で敏捷であり、効率が比較的高いという効果を達成する。
【００３１】
以上の一般的な説明及び後述の詳細な説明は、例示的なものに過ぎず、本発明を限定するものではないことを理解すべきである。
【図面の簡単な説明】
【００３２】
ここで、図面は明細書に組み込んで本明細書の一部とし、本発明に合致する実施例を示すとともに、明細書とともに本発明の原理を説明する。
【図１Ａ】例示的な実施例に係る撮影パラメータの調節方法を示すフローチャートである。
【図１Ｂ】図１Ａに示す実施例に係る撮影パラメータの調節方法の実施可能な形態におけるインターフェースを示す概略図である。
【図１Ｃ】図１Ａに示す実施例に係るスライド調節コントローラの異なる実施形態におけるインターフェースを示す概略図である。
【図２Ａ】他の例示的な実施例に係る撮影パラメータの調節方法を示すフローチャートである。
【図２Ｂ】図２Ａに示す実施例に係るダイヤル調節コントローラのインターフェースを示す概略図である。
【図２Ｃ】図２Ａに示す実施例に係る時計回り方向のスライド信号によりダイヤル調節コントローラを調節する時のインターフェースを示す概略図である。
【図２Ｄ】図２Ａに示す実施例に係る時計回り方向のスライド信号によりダイヤル調節コントローラを調節する時のインターフェースを示す概略図である。
【図３Ａ】他の例示的な実施例に係る撮影パラメータの調節方法を示すフローチャートである。
【図３Ｂ】図３Ａに示す実施例に係るダイヤル調節コントローラのインターフェースを示す概略図である。
【図３Ｃ】図３Ａに示す実施例に係るダイヤル調節コントローラを切り替えて表示するインターフェースを示す概略図である。
【図４Ａ】他の例示的な実施例に係る撮影パラメータの調節方法を示すフローチャートである。
【図４Ｂ】図４Ａに示す実施例に係るｎ個のダイヤル調節コントローラを同時に表示するインターフェースを示す概略図である。
【図４Ｃ】図４Ａに示す実施例に係るｎ個のダイヤル調節コントローラを同時に表示する他のインターフェースを示す概略図である。
【図４Ｄ】その他の例示的な実施例に係るオートフォーカスの後でスライド調節コントローラに対して変更して表示するインターフェースを示す概略図である。
【図４Ｅ】その他の例示的な実施例に係るスライド調節コントローラのインターフェースを示す概略図である。
【図４Ｆ】他の例示的な実施例に係るスライド調節コントローラのインターフェースを示す概略図である。
【図５】１つの例示的な実施例に係る撮影パラメータ調節装置を示すブロック図である。
【図６】他の例示的な実施例に係る撮影パラメータ調節装置を示すブロック図である。
【図７】他の例示的な実施例に係る撮影パラメータ調節装置を示すブロック図である。
【図８】１つの例示的な実施例に係る撮影パラメータ調節装置を示すブロック図である。
【００３３】
上記図面を通じて本発明の明確な実施例を例示し、以下にさらに詳しく記述する。このような図面と文字記述は本発明の旨の範囲を制限するものではなく、特定の実施例を参照することによって、本技術分野の当業者に本発明の概念を理解させるためのものである。
【発明を実施するための形態】
【００３４】
ここで、例示的実施例を詳しく説明し、その実施例は図面に示される。以下の説明は図面に係る場合、特別に示されない限り、異なる図面における同じ符号は同じ又は共通する要素を示す。本発明に合致するすべての実施の形態は、以下の例示的実施例で記述される実施の形態に限られない。逆に、以下の例示的実施例で記述される実施の形態は、特許請求の範囲に詳しく記述される、本発明のいくつかの形態に合致する装置及び方法の実例に過ぎない。
【００３５】
本発明に係る撮影パラメータの調節方法は、撮影能力およびタッチスクリーンを備える電子機器に用いられることができる。当該電子機器は、携帯電話、タブレットＰＣ、電子書籍リーダー、ＭＰ３プレーヤー（Ｍｏｖｉｎｇ  Ｐｉｃｔｕｒｅ  Ｅｘｐｅｒｔｓ  Ｇｒｏｕｐ  Ａｕｄｉｏ  Ｌａｙｅｒ  ＩＩＩ）、ＭＰ４（Ｍｏｖｉｎｇ  Ｐｉｃｔｕｒｅ  Ｅｘｐｅｒｔｓ  Ｇｒｏｕｐ  Ａｕｄｉｏ  Ｌａｙｅｒ  ＩＶ）プレーヤー、ポータブルノートパソコンやデスクトップコンピュータ等であることができる。
【００３６】
発明人らは、本発明を実現する過程において、ユーザがスマートフォンまたはタブレットＰＣを用いて写真を撮影する場合、操作階層が深すぎるため、ユーザが露光補正値、ホワイトバランス等の撮影パラメータを調節する場合が少なく、直接にフールモード（全自動モード）を用いる場合が多いことを見出した。一方、タッチスクリーンを用いて撮影ファインダーを表示する場合、ユーザに最も多く用いられる操作の一つとして、撮影ファインダー上においてクリック信号によりフォーカス位置を確定する。そのために、発明人らは、便利で敏捷である撮影パラメータの調節方法を実現するように、撮影パラメータを調節する過程とクリック信号によりフォーカス位置を確定する過程との有機的な組み合わせを図った。具体的には、次の実施例を参照する。
【００３７】
図１Ａは、例示的な実施例に係る撮影パラメータの調節方法を示すフローチャートである。本実施例では、当該撮影パラメータの調節方法が、撮影能力およびタッチスクリーンを備える電子機器において適用され、当該方法は、次のようなステップ１０２〜ステップ１０８を含む。
【００３８】
ステップ１０２において、タッチスクリーンに表示された撮影ファインダー上においてトリガーされるクリック信号を受信する。
【００３９】
ステップ１０４において、クリック信号のクリック位置を参考位置として、撮影パラメータに対応するスライド調節コントローラを表示する。
【００４０】
当該スライド調節コントローラは、通常、ダイヤル調節コントローラであり、当該ダイヤル調節コントローラの表示様式は、完全な円形、不完全な円形、完全な環形、および不完全な環形のうちのいずれか１種であってもよい。
【００４１】
ステップ１０６において、スライド調節コントローラに作用したスライドタッチ信号を受信する。
【００４２】
ステップ１０８において、スライドタッチ信号に基づいて撮影パラメータを調節する。
【００４３】
上記のように、本実施例に係る撮影パラメータの調節方法では、クリック信号のクリック位置を参考位置として、撮影パラメータに対応するスライド調節コントローラを表示し、スライド調節コントローラに作用したスライドタッチ信号を受信し、スライドタッチ信号に基づいて撮影パラメータを調節する。これにより、ユーザがタッチスクリーンにおけるボタンにより撮影パラメータを調節する場合、調節過程の操作階層が多すぎて効率が比較的低い問題を解決した。ユーザがスライド調節コントローラにおいて直接にスライドタッチ信号を用い、撮影パラメータを調節することができるため、操作過程全体は、とても簡単で敏捷であり、効率が比較的高いという効果を達成する。
【００４４】
１つの例示的な例において、図１Ｂを参照するように、１回の撮影の過程に、ユーザが撮影ファインダー１２においてモバイル端末へクリック信号を出し、モバイル端末がクリック信号のクリック位置を参考位置として、撮影パラメータ「露光補正」に対応するスライド調節コントローラ１４を表示し、当該スライド調節コントローラ１４は、クリック位置を円心として外観が円形を呈するダイヤル調節コントローラであり、ユーザが時計回り方向のスライド信号、または反時計回り方向のスライド信号により、当該ダイヤル調節コントローラを調節し、さらに、相応の撮影パラメータを調節して変化させ、例えば、時計回り方向のスライド信号により、露光補正値を０．１から０．２まで増大する。
【００４５】
説明すべきことは、スライド調節コントローラ１４が、クリック位置を中心とし、曲線タイプのスライドタッチ信号により制御するコントローラである。スライド調節コントローラ１４は、表示時の表示様式を限定しておらず、図１Ｃの左から右へ、上から下へ順次に示すように、完全な円形、不完全な円形、完全な環形または不完全な環形であってもよく、もちろん、その他の様式であってもよい。
【００４６】
また、説明すべきことは、撮影パラメータが、露光補正値、ホワイトバランス値、感光度、絞り値、フォーカスの焦点距離、およびシャッター速度のうちの少なくとも１種を含む。
【００４７】
図２Ａは、他の例示的な実施例に係る撮影パラメータの調節方法を示すフローチャートである。本実施例では、当該撮影パラメータの調節方法が、撮影能力およびタッチスクリーンを備える電子機器において適用され、当該方法は、次のようなステップ２０１〜ステップ２０６を含む。
【００４８】
ステップ２０１において、タッチスクリーンに表示された撮影ファインダー上においてトリガーされるクリック信号を受信する。
【００４９】
ユーザが撮影能力およびタッチスクリーンを備える電子機器を用いて撮影を行う場合、電子機器がタッチスクリーンにおいて撮影内容をプレビューするための撮影ファインダーを表示する。
【００５０】
ユーザがタッチスクリーンで表示した撮影ファインダー上においてクリック信号をトリガーし、電子機器が当該クリック信号のクリック位置をフォーカス位置としてもよく、電子機器がオートフォーカスの機能を持っている場合、当該クリック位置に対してオートフォーカスを行うことができる。
【００５１】
ステップ２０２において、クリック信号のクリック位置を円心として、１つの撮影パラメータに対応するダイヤル調節コントローラを表示する。
【００５２】
電子機器が当該クリック信号を受信した後、電子機器がクリック信号のクリック位置を円心として、１個の撮影パラメータに対応するダイヤル調節コントローラを表示する。当該ダイヤル調節コントローラが、撮影パラメータに対応する目盛り標識を含む完全な環形のコントローラであってもよい。
【００５３】
例えば、図２Ｂに示すように、当該撮影パラメータは露光補正値であってもよく、即ち、当該ダイヤル調節コントローラ２２は、露光補正値を調節するために用いられ、当該ダイヤル調節コントローラ２２は、１個の完全な環形２４を含み、且つ当該環形２４の内側に、均一に分布する、異なる露光補正値に対応する目盛り標識２６が配列されている。
【００５４】
ステップ２０３において、ダイヤル調節コントローラに作用したスライドタッチ信号を受信する。
【００５５】
電子機器はユーザのトリガーしたスライドタッチ信号を受信し、当該スライドタッチ信号は、ダイヤル調節コントローラに作用したスライドタッチ信号である。当該スライドタッチ信号は、時計回り方向のスライド信号であってもよく、または、当該スライドタッチ信号は、反時計回り方向のスライド信号であってもよい。
【００５６】
ステップ２０４において、スライドタッチ信号に基づいて撮影パラメータを調節する。
【００５７】
スライドタッチ信号によって、当該ステップは、次のような２つのケースに分ける。
【００５８】
スライドタッチ信号が時計回り方向のスライド信号である場合、電子機器が撮影パラメータを増大し、増大の幅と時計回り方向のスライド信号のスライド軌跡の軌跡長さとが正の相関関係にある。
【００５９】
例えば、図２Ｃに示すように、スライドタッチ信号が時計回り方向のスライド信号である場合、電子機器が露光補正値を増大し、時計回り方向のスライド信号が１／４円周を回転する場合、露光補正値を０．１から０．２まで大きくさせ、時計回り方向のスライド信号が１／２円周を回転する場合、露光補正値を０．１から０．３まで大きくさせる。
【００６０】
スライドタッチ信号が反時計回り方向のスライド信号である場合、電子機器が撮影パラメータを減少し、減少の幅と反時計回り方向のスライド信号のスライド軌跡の軌跡長さとが正の相関関係にある。
【００６１】
例えば、図２Ｄに示すように、スライドタッチ信号が反時計回り方向のスライド信号である場合、電子機器が露光補正値を減少し、反時計回り方向のスライド信号が１／４円周を回転する場合、露光補正値を０．１から０まで小さくさせ、時計回り方向のスライド信号が１／２円周を回転する場合、露光補正値を０．１から−０．１まで小さくさせる。
【００６２】
一実現可能な形態では、当該ステップは、さらに、次のようなステップを含む。
【００６３】
１．スライドタッチ信号のスライド速度が所定閾値を超えるか否かを検出する。
【００６４】
電子機器が時計回り方向のスライド信号、または反時計回り方向のスライド信号を受信した後、さらに、当該時計回り方向のスライド信号、または反時計回り方向のスライド信号のスライド速度が所定閾値を超えるか否かを検出することができる。即ち、当該時計回り方向のスライド信号、または反時計回り方向のスライド信号が快速スライド信号であるか否かを検出する。
【００６５】
２．スライドタッチ信号のスライド速度が所定閾値を超えた場合、撮影パラメータをディフォルト値に調節する。
【００６６】
当該スライドタッチ信号のスライド速度が所定閾値を超えた場合、電子機器が撮影パラメータをディフォルト値にリセットし、例えば、露光補正値を、快速にディフォルト値０に変更する。
【００６７】
明らかに、当該実現可能な形態は、ユーザが多数回の調節をしても所望な効果に達しない場合、当該撮影パラメータを、快速に初期のディフォルト値にリセットすることができる。
【００６８】
ステップ２０５において、撮影トリガー信号を受信する。
【００６９】
撮影パラメータの調節を終了した後、電子機器がユーザにトリガーされた撮影トリガー信号を受信する。当該撮影トリガー信号は、ユーザがユーザインターフェースにおける撮影ボタンをクリックすることでトリガーされた信号であってもよい。
【００７０】
ステップ２０６において、撮影パラメータに基づいて撮影を行う。
【００７１】
調節後の撮影パラメータに基づいて撮影を行う。
【００７２】
上記のように、本実施例に係る撮影パラメータの調節方法では、クリック信号のクリック位置を中心として、撮影パラメータに対応するスライド調節コントローラを表示し、スライド調節コントローラに作用したスライドタッチ信号を受信し、スライドタッチ信号に基づいて撮影パラメータを調節する。これにより、ユーザがタッチスクリーンにおけるボタンにより撮影パラメータを調節する場合、調節過程の操作階層が多すぎて効率が比較的低い問題を解決した。ユーザがスライド調節コントローラにおいて直接にスライドタッチ信号を用い、撮影パラメータを調節することができるため、操作過程全体は、とても簡単で敏捷であり、効率が比較的高いという効果を達成する。
【００７３】
図２Ａに示す実施例におけるスライド調節コントローラが１個の撮影パラメータを調節するように用いられるため、複数の撮影パラメータを調節することができるように、図３Ａに示す実施例を参照することができる。
【００７４】
図３Ａは、他の例示的な実施例に係る撮影パラメータの調節方法を示すフローチャートである。本実施例では、当該撮影パラメータの調節方法が、撮影能力およびタッチスクリーンを備える電子機器において適用され、当該方法は、次のようなステップ３０１〜ステップ３０８を含む。
【００７５】
ステップ３０１において、タッチスクリーンに表示された撮影ファインダー上においてトリガーされたクリック信号を受信する。
【００７６】
ユーザが撮影能力およびタッチスクリーンを備える電子機器を用いて撮影を行う場合、電子機器がタッチスクリーンにおいて撮影内容をプレビューするための撮影ファインダーを表示する。
【００７７】
ユーザがタッチスクリーンで表示した撮影ファインダー上においてクリック信号をトリガーし、電子機器が当該クリック信号のクリック位置をフォーカス位置としてもよく、電子機器がオートフォーカスの機能を持っている場合、当該クリック位置に対してオートフォーカスを行うことができる。
【００７８】
ステップ３０２において、クリック信号のクリック位置を円心として、１つの撮影パラメータに対応するダイヤル調節コントローラを表示する。
【００７９】
電子機器が当該クリック信号を受信した後、電子機器がクリック信号のクリック位置を円心として、１個の撮影パラメータに対応するダイヤル調節コントローラを表示する。当該ダイヤル調節コントローラが不完全な環形のコントローラであってもよく、且つ当該不完全な環形の上に撮影パラメータに対応する目盛り標識と撮影パラメータの名称を含む。
例えば、図３Ｂに示すように、当該撮影パラメータが露光補正値であってもよく、即ち、当該ダイヤル調節コントローラ３２は、露光補正値を調節するために用いられ、当該ダイヤル調節コントローラ３２は、１個の不完全な環形３４を含み、且つ当該環形３４の切り欠け部分に撮影パラメータ「露光補正」の名称がある。
【００８０】
ステップ３０３において、コントローラ切替信号を受信する。
【００８１】
現在表示されているダイヤル調節コントローラは、ユーザが調節しようとする撮影パラメータに対応するコントローラではない場合、ユーザが電子機器へコントローラ切替信号を出す。
【００８２】
当該コントローラ切替信号は、電子機器により予め定義され、本実施例は、当該信号のトリガーする形態に対して限定しなく、所定物理ボタンを押してトリガーした信号であってもよく、タッチスクリーンに表示した仮想ボタンを押してトリガーした信号であってもよく、さらに所定スライド軌跡に合致したスライドタッチ信号でトリガーした信号であってもよく、さらに電子機器におけるセンサでトリガーした信号であってもよい。
【００８３】
例えば、図３Ｃに示すように、電子機器のタッチスクリーンの一辺には、さらに、いくつかのボタン３６が表示され、各ボタン３６がそれぞれ１個の撮影パラメータに対応する。１個のダイヤル調節コントローラを表示した後、ユーザが他の一つの撮影パラメータを調節しようとする場合、当該撮影パラメータに対応するボタン３６をクリックし、電子機器へコントローラ切替信号をトリガーする。
【００８４】
ステップ３０４において、コントローラ切替信号に基づいて、撮影パラメータに対応するダイヤル調節コントローラを、他の一つの撮影パラメータに対応するダイヤル調節コントローラに切り替えて表示する。
【００８５】
電子機器がコントローラ切替信号に基づいて、現在撮影パラメータに対応するダイヤル調節コントローラを、他の一つの撮影パラメータに対応するダイヤル調節コントローラに切り替えて表示する。
【００８６】
例えば、図３Ｃに示すように、ユーザが「絞り」ボタン３６をクリックする場合、電子機器が現在撮影パラメータ「露光補正値」に対応するダイヤル調節コントローラを、他の一つの撮影パラメータ「絞り」に対応するダイヤル調節コントローラ３８に切り替えて表示する。
【００８７】
ステップ３０５において、ダイヤル調節コントローラに作用したスライドタッチ信号を受信する。
【００８８】
電子機器はユーザのトリガーしたスライドタッチ信号を受信し、当該スライドタッチ信号は、ダイヤル調節コントローラに作用したスライドタッチ信号である。当該スライドタッチ信号は、時計回り方向のスライド信号であってもよく、または、当該スライドタッチ信号は、反時計回り方向のスライド信号であってもよい。
【００８９】
ステップ３０６において、スライドタッチ信号に基づいて撮影パラメータを調節する。
【００９０】
スライドタッチ信号によって、当該ステップは、次のような２つのケースに分ける。
【００９１】
スライドタッチ信号が時計回り方向のスライド信号である場合、電子機器が撮影パラメータを増大し、増大の幅と時計回り方向のスライド信号のスライド軌跡の軌跡長さとが正の相関関係にある。
【００９２】
スライドタッチ信号が反時計回り方向のスライド信号である場合、電子機器が撮影パラメータを減少し、減少の幅と反時計回り方向のスライド信号のスライド軌跡の軌跡長さとが正の相関関係にある。
【００９３】
他の実現可能な形態として、電子機器が時計回り方向のスライド信号により撮影パラメータを減少し、反時計回り方向のスライド信号により撮影パラメータを増大する。
【００９４】
また、その他の一実現可能な形態では、当該ステップは、さらに、次のようなステップを含む。
【００９５】
１．スライドタッチ信号のスライド速度が所定閾値を超えるか否かを検出する。
【００９６】
電子機器が時計回り方向のスライド信号、または反時計回り方向のスライド信号を受信した後、さらに、当該時計回り方向のスライド信号、または反時計回り方向のスライド信号のスライド速度が所定閾値を超えるか否かを検出することができる。即ち、当該時計回り方向のスライド信号、または反時計回り方向のスライド信号が快速スライド信号であるか否かを検出する。
【００９７】
２．スライドタッチ信号のスライド速度が所定閾値を超えた場合、撮影パラメータをディフォルト値に調節する。
【００９８】
当該スライドタッチ信号のスライド速度が所定閾値を超えた場合、電子機器が撮影パラメータをディフォルト値にリセットし、例えば、露光補正値を、快速にディフォルト値０に変更する。
【００９９】
明らかに、当該実現可能な形態は、ユーザが多数回の調節をしても所望な効果に達しない場合、当該撮影パラメータを、快速に初期のディフォルト値にリセットすることができる。
【０１００】
ステップ３０７において、撮影トリガー信号を受信する。
【０１０１】
撮影パラメータの調節を終了した後、電子機器がユーザにトリガーされた撮影トリガー信号を受信する。当該撮影トリガー信号は、ユーザがユーザインターフェースにおける撮影ボタンをクリックすることでトリガーされた信号であってもよい。
【０１０２】
ステップ３０８において、撮影パラメータに基づいて撮影を行う。
【０１０３】
調節後の撮影パラメータに基づいて、電子機器が撮影を行う。
【０１０４】
上記のように、本実施例に係る撮影パラメータの調節方法では、クリック信号のクリック位置を参考位置として、撮影パラメータに対応するスライド調節コントローラを表示し、スライド調節コントローラに作用したスライドタッチ信号を受信し、スライドタッチ信号に基づいて撮影パラメータを調節する。これにより、ユーザがタッチスクリーンにおけるボタンにより撮影パラメータを調節する場合、調節過程の操作階層が多すぎて効率が比較的低い問題を解決した。ユーザがスライド調節コントローラにおいて直接にスライドタッチ信号を用い、撮影パラメータを調節することができるため、操作過程全体は、とても簡単で敏捷であり、効率が比較的高いという効果を達成する。
【０１０５】
当該実施例に係る撮影パラメータの調節方法では、さらに、コントローラ切替信号に基づいて異なる撮影パラメータに対応するダイヤル調節コントローラに対して切替を行う技術案を提供し、ユーザがダイヤル調節コントローラにより異なる撮影パラメータに対して調節することができ、さらに操作効率の効果を向上させた。
【０１０６】
図２Ａに示す実施例におけるスライド調節コントローラが１個の撮影パラメータを調節するように用いられるため、複数の撮影パラメータを調節することができるように、さらに図４Ａに示す実施例を参照することができる。
【０１０７】
図４Ａは、他の例示的な実施例に係る撮影パラメータの調節方法を示すフローチャートである。本実施例では、当該撮影パラメータの調節方法が、撮影能力およびタッチスクリーンを備える電子機器において適用され、当該方法は、次のようなステップ４０１〜ステップ４０６を含む。
【０１０８】
ステップ４０１において、タッチスクリーンに表示された撮影ファインダー上においてトリガーされるクリック信号を受信する。
【０１０９】
ユーザが撮影能力およびタッチスクリーンを備える電子機器を用いて撮影を行う場合、電子機器がタッチスクリーンにおいて撮影内容をプレビューするための撮影ファインダーを表示する。
【０１１０】
ユーザがタッチスクリーンで表示した撮影ファインダー上においてクリック信号をトリガーし、電子機器が当該クリック信号のクリック位置をフォーカス位置としてもよく、電子機器がオートフォーカスの機能を持っている場合、当該クリック位置に対してオートフォーカスを行うことができる。
【０１１１】
ステップ４０２において、クリック信号のクリック位置を円心として、同一の円心に基づいて、ｎ個の撮影パラメータに対応するｎ個のダイヤル調節コントローラを表示し、各撮影パラメータは、１個のダイヤル調節コントローラに対応する。
【０１１２】
電子機器が当該クリック信号を受信した後、電子機器がクリック信号のクリック位置を円心として、ｎ（ｎ≧２）個の撮影パラメータに対応するｎ個のダイヤル調節コントローラを表示する。ここで、ダイヤル調節コントローラの表示様式は、完全な円形、不完全な円形、完全な環形、および不完全な環形のうちのいずれか１種である。
【０１１３】
一実現可能な形態としては、電子機器が異なる半径で同一の円心の同心円の様式でｎ個の撮影パラメータに対応するｎ個のダイヤル調節コントローラを表示する。
【０１１４】
例えば、図４Ｂに示すように、電子機器が異なる半径で同一の円心の同心円の様式で３個の撮影パラメータのそれぞれに対応する３個のダイヤル調節コントローラ４２を表示した。各ダイヤル調節コントローラ４２は、すべて不完全な環形であり、半径が最小であるダイヤル調節コントローラ４２は、撮影パラメータ「感光度」に対応しており、半径が中等であるダイヤル調節コントローラ４２は、撮影パラメータ「絞り」に対応しており、半径が最大であるダイヤル調節コントローラ４２は、撮影パラメータ「露光補正値」に対応している。
【０１１５】
他の実現可能な形態としては、電子機器が円心により位置決めされる同一環形における異なる弧度位置に、ｎ個のダイヤル調節コントローラを表示する。
【０１１６】
例えば、図４Ｃに示すように、電子機器が円心により位置決めされる環形における異なる弧度位置に、３個の撮影パラメータのそれぞれに対応する３個のダイヤル調節コントローラ４４を表示した。各ダイヤル調節コントローラ４４は、すべて不完全な環形であり、且つ各ダイヤル調節コントローラ４４は、すべて完全な環形の１／３を占める。ここで、１個のダイヤル調節コントローラ４４は、撮影パラメータ「感光度」に対応しており、他の１個のダイヤル調節コントローラ４４は、撮影パラメータ「絞り」に対応しており、その他の１個のダイヤル調節コントローラ４４は、撮影パラメータ「露光補正」に対応している。
【０１１７】
即ち、電子機器は、同時に複数の撮影パラメータに対応する複数のダイヤル調節コントローラを表示してもよい。
【０１１８】
ステップ４０３において、ダイヤル調節コントローラに作用したスライドタッチ信号を受信する。
【０１１９】
電子機器はユーザのトリガーしたスライドタッチ信号を受信し、当該スライドタッチ信号は、複数のダイヤル調節コントローラにおける１個のダイヤル調節コントローラに作用したスライドタッチ信号である。当該スライドタッチ信号は、時計回り方向のスライド信号であってもよく、または、当該スライドタッチ信号は、反時計回り方向のスライド信号であってもよい。
【０１２０】
ステップ４０４において、スライドタッチ信号に基づいて撮影パラメータを調節する。
【０１２１】
スライドタッチ信号によって、当該ステップは、次のような２つのケースに分ける。
【０１２２】
スライドタッチ信号が時計回り方向のスライド信号である場合、電子機器が撮影パラメータを増大し、増大の幅と時計回り方向のスライド信号のスライド軌跡の軌跡長さとが正の相関関係にある。
【０１２３】
スライドタッチ信号が反時計回り方向のスライド信号である場合、電子機器が撮影パラメータを減少し、減少の幅と反時計回り方向のスライド信号のスライド軌跡の軌跡長さとが正の相関関係にある。
【０１２４】
他の実現可能な形態として、電子機器が時計回り方向のスライド信号により撮影パラメータを減少し、反時計回り方向のスライド信号により撮影パラメータを増大する。
【０１２５】
また、その他の一実現可能な形態では、当該ステップは、さらに、次のようなステップを含む。
【０１２６】
１．スライドタッチ信号のスライド速度が所定閾値を超えるか否かを検出する。
【０１２７】
電子機器が時計回り方向のスライド信号、または反時計回り方向のスライド信号を受信した後、さらに、当該時計回り方向のスライド信号、または反時計回り方向のスライド信号のスライド速度が所定閾値を超えるか否かを検出することができる。即ち、当該時計回り方向のスライド信号、または反時計回り方向のスライド信号が快速スライド信号であるか否かを検出する。
【０１２８】
２．スライドタッチ信号のスライド速度が所定閾値を超えた場合、撮影パラメータをディフォルト値に調節する。
【０１２９】
当該スライドタッチ信号のスライド速度が所定閾値を超えた場合、電子機器が撮影パラメータをディフォルト値にリセットし、例えば、露光補正値を、快速にディフォルト値０に変更する。
【０１３０】
明らかに、当該実現可能な形態は、ユーザが多数回の調節をしても所望な効果に達しない場合、当該撮影パラメータを、快速に初期のディフォルト値にリセットすることができる。
【０１３１】
ステップ４０５において、撮影トリガー信号を受信する。
【０１３２】
撮影パラメータの調節を終了した後、電子機器がユーザにトリガーされた撮影トリガー信号を受信する。当該撮影トリガー信号は、ユーザがユーザインターフェースにおける撮影ボタンをクリックすることでトリガーされた信号であってもよい。
【０１３３】
ステップ４０６において、撮影パラメータに基づいて撮影を行う。
【０１３４】
調節後の撮影パラメータに基づいて、電子機器が撮影を行う。
【０１３５】
上記のように、本実施例に係る撮影パラメータの調節方法では、クリック信号のクリック位置を中心として、撮影パラメータに対応するスライド調節コントローラを表示し、スライド調節コントローラに作用したスライドタッチ信号を受信し、スライドタッチ信号に基づいて撮影パラメータを調節する。これにより、ユーザがタッチスクリーンにおけるボタンにより撮影パラメータを調節する場合、調節過程の操作階層が多すぎて効率が比較的低い問題を解決した。ユーザがスライド調節コントローラにおいて直接にスライドタッチ信号を用い、撮影パラメータを調節することができるため、操作過程全体は、とても簡単で敏捷であり、効率が比較的高いという効果を達成する。
【０１３６】
本実施例に係る撮影パラメータの調節方法では、さらに、同一の円心に基づいてｎ個の撮影パラメータに対応するｎ個のダイヤル調節コントローラを表示する技術案を提供し、ユーザがダイヤル調節コントローラにより複数の撮影パラメータに対して調節することができ、さらに操作効率の効果を向上させる。
【０１３７】
明らかに、上記の技術案において、電子機器がユーザのフォーカス点のクリック選択操作と撮影パラメータの調節操作とを有機的に組み合わせることができ、ユーザがフォーカス点を選択した後、余分な操作の必要がなく、すぐにスライド調節コントローラにより便利に撮影パラメータを調節することができ、ユーザが撮影パラメータを調節するための容易性と利便性を向上させる。従来技術における多数回の操作をしてから初めて撮影パラメータの調節メニューに進入することに比べると、大部分の撮影過程において、ユーザがクリックによりフォーカス点を選択する必要があるため、本発明におけるスライド調節コントローラを表示する操作階層は、ほぼゼロに近くなってもよく、ユーザの操作効率を顕著に向上させることができ、ユーザが撮影パラメータを調節することを促進する可能性があり、さらに、写真全体の品質が向上する。
【０１３８】
一実現可能な形態としては、上記の実施例において、電子機器がユーザのクリック信号を受信した後、クリック信号のクリック位置をフォーカス位置としてオートフォーカスを行うことができる。選択的に、オートフォーカスを終了した後、電子機器がスライド調節コントローラをさらに変更して表示し、当該変更して表示されたスライド調節コントローラは、オートフォーカス終了を表示するために用いられる。スライド調節コントローラにおける中央位置に表示された第１元素を第２元素に変更することにより当該変更して表示してもよい。
【０１３９】
例えば、図４Ｄに示すように、オートフォーカスを終了した後、電子機器がスライド調節コントローラにおける中央位置に表示された「円」４５を、「カメラボタン」４６に変更して表示し、これにより、オートフォーカス終了を示す。この後、ユーザは、スライド調節コントローラにより撮影パラメータを調節してもよい。
【０１４０】
当該実現可能な形態に基づいて、上記のステップ２０５からステップ２０６へ、または、ステップ３０７からステップ３０８へ、または、ステップ４０５からステップ４０６への交替可能なステップとしている。上記の図２Ａ、図３Ａおよび図４Ａに示す実施例は、さらに、次のようなステップを含む。
【０１４１】
１．オートフォーカスを終了した後、スライド調節コントローラに作用したクリック信号を受信する。
【０１４２】
ユーザーが写真を撮影したい場合、ユーザインターフェースの下方の撮影ボタンをクリックして撮影をトリガーするのみならず、さらにスライド調節コントローラにクリック信号を印加して撮影をトリガーしてもよい。
【０１４３】
例えば、図４Ｄに示すように、ユーザがスライド調節コントローラにおける「カメラボタン」４６をクリックして撮影をトリガーしてもよい。
【０１４４】
それに対応して、電子機器がスライド調節コントローラに作用したクリック信号を受信する。
【０１４５】
２．クリック信号を受信した後、撮影パラメータに基づいて撮影を行う。
【０１４６】
電子機器がクリック信号を受信した後、撮影パラメータに基づいて撮影を行う。
【０１４７】
さらに、再度に説明すべきことは、スライド調節コントローラの表示時の表示様式を限定しておらず、当該スライド調節コントローラは、クリック位置を中心として表示される、曲線タイプのスライドタッチ信号により調節されたコントローラであり、例えば、図４Ｅに示すように、スライド調節コントローラは、さらに、弧形で表示された調節コントローラであってもよく、さらに、例えば、図４Ｆに示すように、スライド調節コントローラは、スパイラル線形で表示された調節コントローラであってもよい。
【０１４８】
以下は、本発明に係る装置の実施例であり、本発明の方法の実施例を実行することに用いられてもよい。本発明に係る装置の実施例に記載されない詳細は、本発明に係る方法の実施例を参照することができる。
【０１４９】
図５は、１つの例示的な実施例に係る撮影パラメータの調節装置を示すブロック図であり、当該撮影パラメータの調節装置は、ソフトウェア、ハードウェア、または両方の組み合わせにより実現され、撮影能力およびタッチスクリーンを備える電子機器の一部または全部になることができる。当該撮影パラメータの調節装置は、
タッチスクリーンに表示された撮影ファインダー上においてトリガーされるクリック信号を受信するように配置されるクリック受信モジュール５２０と、
クリック信号のクリック位置を参考位置として、撮影パラメータに対応するスライド調節コントローラを表示するように配置されるコントローラ表示モジュール５４０と、
スライド調節コントローラに作用したスライドタッチ信号を受信するように配置されるスライド受信モジュール５６０と、
スライドタッチ信号に基づいて撮影パラメータを調節するように配置されるパラメータ調節モジュール５８０とを、備える。
【０１５０】
上記のように、本実施例に係る撮影パラメータの調節装置では、クリック信号のクリック位置を参考位置として、撮影パラメータに対応するスライド調節コントローラを表示し、スライド調節コントローラに作用したスライドタッチ信号を受信し、スライドタッチ信号に基づいて撮影パラメータを調節する。これにより、ユーザがタッチスクリーンにおけるボタンにより撮影パラメータを調節する場合、調節過程の操作階層が多すぎて効率が比較的低い問題を解決した。ユーザがスライド調節コントローラにおいて直接にスライドタッチ信号を用い、撮影パラメータを調節することができるため、操作過程全体は、とても簡単で敏捷であり、効率が比較的高いという効果を達成する。
【０１５１】
図６は、１つの例示的な実施例に係る撮影パラメータの調節装置を示すブロック図であり、当該撮影パラメータの調節装置は、ソフトウェア、ハードウェア、または両方の組み合わせにより実現され、撮影能力およびタッチスクリーンを備える電子機器の一部または全部になることができる。当該撮影パラメータの調節装置は、
タッチスクリーンに表示された撮影ファインダー上においてトリガーされるクリック信号を受信するように配置されるクリック受信モジュール５２０と、
クリック信号のクリック位置を参考位置として、撮影パラメータに対応するスライド調節コントローラを表示するように配置されるコントローラ表示モジュール５４０と、
スライド調節コントローラに作用したスライドタッチ信号を受信するように配置されるスライド受信モジュール５６０と、
スライドタッチ信号に基づいて撮影パラメータを調節するように配置されるパラメータ調節モジュール５８０とを、備える。
【０１５２】
一実現可能な形態では、コントローラ表示モジュール５４０は、クリック信号のクリック位置を円心として、１個の撮影パラメータに対応するダイヤル調節コントローラを表示し、ダイヤル調節コントローラの表示様式が完全な円形、不完全な円形、完全な環形、および不完全な環形のうちのいずれか１種であるように配置される。
【０１５３】
選択的に、当該撮影パラメータの調節装置は、
コントローラ切替信号を受信するように配置される切替受信モジュール５５２と、
コントローラ切替信号に基づいて、撮影パラメータに対応するダイヤル調節コントローラを、他の一つの撮影パラメータに対応するダイヤル調節コントローラに切り替えて表示するように配置されるコントローラ切替モジュール５５４とを、さらに備える。
【０１５４】
選択的に、前記パラメータ調節モジュール５８０は、
スライドタッチ信号が時計回り方向のスライド信号である場合、前記撮影パラメータを増大し、増大の幅と前記時計回り方向のスライド信号のスライド軌跡の軌跡の長さとが正の相関関係にあるように配置される第１の調節ユニットと、
前記スライドタッチ信号が反時計回り方向のスライド信号である場合、前記撮影パラメータを減少し、減少の幅と前記反時計回り方向のスライド信号のスライド軌跡の軌跡の長さとが正の相関関係にあるように配置される第２の調節ユニットとを備え、
または、
スライドタッチ信号が時計回り方向のスライド信号である場合、撮影パラメータを減少し、減少の幅と時計回り方向のスライド信号のスライド軌跡の軌跡の長さとが正の相関関係にあるように配置される第３の調節ユニットと、
スライドタッチ信号が反時計回り方向のスライド信号である場合、撮影パラメータを増大し、増大の幅と反時計回り方向のスライド信号のスライド軌跡の軌跡の長さとが正の相関関係にあるように配置される第３の調節ユニットと、
を備える。
【０１５５】
選択的に、パラメータ調節モジュール５８０は、
スライドタッチ信号のスライド速度が所定閾値を超えるか否かを検出するように配置される速度検出ユニットと、
スライドタッチ信号のスライド速度が所定閾値を超えた場合、撮影パラメータをディフォルト値に調節するように配置されるパラメータリセットユニットとを、さらに備える。
【０１５６】
選択的に、ダイヤル調節コントローラに、撮影パラメータに対応する目盛り標識が設置される。
【０１５７】
選択的に、撮影パラメータは、露光補正値、ホワイトバランス値、感光度、絞り値、フォーカスの焦点距離、およびシャッター速度のうちの少なくとも１種を含む。
【０１５８】
選択的に、当該装置は、オートフォーカスモジュール５９０をさらに備える。
【０１５９】
オートフォーカスモジュール５９０は、クリック信号のクリック位置をフォーカス位置として、オートフォーカスを行うように配置される。
【０１６０】
選択的に、当該装置は、さらに、変更表示モジュール（図示せず）を備える。
【０１６１】
変更表示モジュールは、オートフォーカスモジュール５９０がオートフォーカスをした後、スライド調節コントローラを変更して表示するように配置される。当該変更して表示されたスライド調節コントローラは、オートフォーカス終了を表示するために用いられる。
【０１６２】
選択的に、当該装置は、
オートフォーカスモジュール５９０がオートフォーカスを終了した後、スライド調節コントローラに作用したクリック信号を受信するように配置されるクリックモジュール５９２と、
クリックモジュール５９２がクリック信号を受信した後、撮影パラメータに基づいて撮影を行うように配置される撮影モジュール５９４とを、さらに備える。
【０１６３】
上記のように、本実施例に係る撮影パラメータの調節装置では、クリック信号のクリック位置を中心として、撮影パラメータに対応するスライド調節コントローラを表示し、スライド調節コントローラに作用したスライドタッチ信号を受信し、スライドタッチ信号に基づいて撮影パラメータを調節する。これにより、ユーザがタッチスクリーンにおけるボタンにより撮影パラメータを調節する場合、調節過程の操作階層が多すぎて効率が比較的低い問題を解決した。ユーザがスライド調節コントローラにおいて直接にスライドタッチ信号を用い、撮影パラメータを調節することができるため、操作過程全体は、とても簡単で敏捷であり、効率が比較的高いという効果を達成する。
【０１６４】
当該実施例に係る撮影パラメータの調節装置では、さらに、コントローラ切替信号に基づいて異なる撮影パラメータに対応するダイヤル調節コントローラに対して切替を行う技術案を提供し、ユーザがダイヤル調節コントローラにより異なる撮影パラメータに対して調節することができ、さらに操作効率の効果を向上させた。
【０１６５】
図７は、１つの例示的な実施例に係る撮影パラメータの調節装置を示すブロック図であり、当該撮影パラメータの調節装置は、ソフトウェア、ハードウェア、または両方の組み合わせにより実現され、撮影能力およびタッチスクリーンを備える電子機器の一部または全部になることができる。当該撮影パラメータの調節装置は、
タッチスクリーンに表示された撮影ファインダー上においてトリガーされるクリック信号を受信するように配置されるクリック受信モジュール５２０と、
クリック信号のクリック位置を参考位置として、撮影パラメータに対応するスライド調節コントローラを表示するように配置されるコントローラ表示モジュール５４０と、
スライド調節コントローラに作用したスライドタッチ信号を受信するように配置されるスライド受信モジュール５６０と、
スライドタッチ信号に基づいて撮影パラメータを調節するように配置されるパラメータ調節モジュール５８０とを、備える。
【０１６６】
一つの実現可能な形態において、コントローラ表示モジュール５４０は、クリック信号のクリック位置を円心として、同一の円心に基づいて、ｎ（ｎ≧２）個の撮影パラメータに対応するｎ個のダイヤル調節コントローラを表示し、各撮影パラメータが１個のダイヤル調節コントローラに対応するように配置され、ダイヤル調節コントローラの表示様式は、完全な円形、不完全な円形、完全な環形および不完全な環形のうちのいずれか１種である。
【０１６７】
選択的に、コントローラ表示モジュール５４０は、
異なる半径で同一の円心の同心円の様式でｎ個の撮影パラメータに対応するｎ個のダイヤル調節コントローラを表示するように配置される同心円表示ユニット５４２、
または
ｎ個のダイヤル調節コントローラにおける表示様式がいずれも不完全な円形または不完全な環形である場合、円心により位置決めされる同一環形における異なる弧度位置にｎ個のダイヤル調節コントローラを表示するように配置される弧度表示ユニット５４４、
を備える。
【０１６８】
選択的に、前記パラメータ調節モジュール５８０は、
スライドタッチ信号が時計回り方向のスライド信号である場合、前記撮影パラメータを増大し、増大の幅と前記時計回り方向のスライド信号のスライド軌跡の軌跡の長さとが正の相関関係にあるように配置される第１の調節ユニットと、
前記スライドタッチ信号が反時計回り方向のスライド信号である場合、前記撮影パラメータを減少し、減少の幅と前記反時計回り方向のスライド信号のスライド軌跡の軌跡の長さとが正の相関関係にあるように配置される第１の調節ユニットと、を備え、
または、
スライドタッチ信号が時計回り方向のスライド信号である場合、撮影パラメータを減少し、減少の幅と時計回り方向のスライド信号のスライド軌跡の軌跡の長さとが正の相関関係にあるように配置される第３の調節ユニットと、
スライドタッチ信号が反時計回り方向のスライド信号である場合、撮影パラメータを増大し、増大の幅と反時計回り方向のスライド信号のスライド軌跡の軌跡の長さとが正の相関関係にあるように配置される第３の調節ユニットと、を備える。
【０１６９】
選択的に、前記パラメータ調節モジュール５８０は、
スライドタッチ信号のスライド速度が所定閾値を超えるか否かを検出するように配置される速度検出ユニットと、
スライドタッチ信号のスライド速度が所定閾値を超えた場合、撮影パラメータをディフォルト値に調節するように配置されるパラメータリセットユニットとを、さらに備える。
【０１７０】
選択的に、ダイヤル調節コントローラに、撮影パラメータに対応する目盛り標識が設置される。
【０１７１】
選択的に、撮影パラメータは、露光補正値、ホワイトバランス値、感光度、絞り値、フォーカスの焦点距離、およびシャッター速度のうちの少なくとも１種を含む。
【０１７２】
選択的に、当該装置は、オートフォーカスモジュール５９０をさらに備え、
オートフォーカスモジュール５９０は、クリック信号のクリック位置をフォーカス位置として、フォーカスを行うように配置される。
【０１７３】
選択的に、当該装置は、さらに、変更表示モジュール（図示せず）を備える。
【０１７４】
変更表示モジュールは、オートフォーカスモジュール５９０がオートフォーカスをした後、スライド調節コントローラを変更して表示するように配置される。当該変更して表示されたスライド調節コントローラは、オートフォーカス終了を表示するために用いられる。
【０１７５】
選択的に、当該装置は、
オートフォーカスモジュール５９０がオートフォーカスを終了した後、スライド調節コントローラに作用したクリック信号を受信するように配置されるクリックモジュール５９２と、
クリックモジュール５９２がクリック信号を受信した後、撮影パラメータに基づいて撮影を行うように配置される撮影モジュール５９４とを、さらに備える。
【０１７６】
上記のように、本実施例に係る撮影パラメータの調節装置では、クリック信号のクリック位置を中心として、撮影パラメータに対応するスライド調節コントローラを表示し、スライド調節コントローラに作用したスライドタッチ信号を受信し、スライドタッチ信号に基づいて撮影パラメータを調節する。これにより、ユーザがタッチスクリーンにおけるボタンにより撮影パラメータを調節する場合、調節過程の操作階層が多すぎて効率が比較的低い問題を解決した。ユーザがスライド調節コントローラにおいて直接にスライドタッチ信号を用い、撮影パラメータを調節することができるため、操作過程全体は、とても簡単で敏捷であり、効率が比較的高いという効果を達成する。
【０１７７】
本実施例に係る撮影パラメータの調節装置は、さらに、同一の円心に基づいてｎ個の撮影パラメータに対応するｎ個のダイヤル調節コントローラを表示する技術案を提供し、ユーザがダイヤル調節コントローラにより複数の撮影パラメータに対して調節することができ、さらに操作効率の効果を向上させる。
【０１７８】
上記の実施例に係る装置において、各モジュールが操作を実行する具体的な方式は、該方法に関する実施例において詳しく説明したので、ここで、詳しく説明しない。
【０１７９】
図８は、例示的な実施例に係る装置８００を示すブロック図である。例えば、端末８００は、携帯電話、コンピュータ、デジタル放送端末、メッセージ送受信機器、ゲーム機、タブレット装置、医療機器、フィットネス機器、パーソナルデジタルアシスタントであってもよい。
【０１８０】
図８に示すように、端末８００は、プロセスアセンブリ８０２、メモリ８０４、電源アセンブリ８０６、マルチメディアアセンブリ８０８、オーディオアセンブリ８１０、入力／出力（Ｉ／Ｏ）インタフェース８１２、センサ・アセンブリ８１４、および通信アセンブリ８１６のような１つ以上のアセンブリを含んでよい。
【０１８１】
プロセスアセンブリ８０２は、一般的には装置８００全体の操作を制御するものであり、例えば、表示、電話呼び出し、データ通信、カメラ操作、及び記録操作と関連する操作を制御する。プロセスアセンブリ８０２は、１つ以上のプロセッサ８２０を含み、これらによって指令を実行することにより、上記の方法の全部、或は一部のステップを実現するようにしてもよい。なお、プロセスアセンブリ８０２は、一つ以上のモジュールを含み、これらによってプロセスアセンブリ８０２と他のアセンブリの間のインタラクションを容易にするようにしてもよい。例えば、プロセスアセンブリ８０２は、マルチメディアモジュールを含み、これらによってマルチメディアアセンブリ８０８とプロセスアセンブリ８０２の間のインタラクションを容易にするようにしてもよい。
【０１８２】
メモリ８０４は、各種類のデータを記憶することにより装置８００の操作を支援するように構成される。これらのデータの例は、装置８００において操作されるいずれのアプリケーションプログラム又は方法の命令、連絡対象データ、電話帳データ、メッセージ、画像、ビデオ等を含む。メモリ８０４は、いずれの種類の揮発性メモリ、不揮発性メモリ記憶デバイスまたはそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｂｅｒ）、磁気メモリ、フラッシュメモリ、磁気ディスク、或いは光ディスクである。
【０１８３】
電源アセンブリ８０６は、装置８００のの多様なアセンブリに電力を供給する。電源アセンブリ８０６は、電源管理システム、一つ以上の電源、及び装置８００のための電力の生成、管理及び割り当てに関連する他のアセンブリを含んでもよい。
【０１８４】
マルチメディアアセンブリ８０８は、前記装置８００とユーザの間に一つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スライド、及びタッチパネル上のジェスチャを検出することができる。前記タッチセンサは、タッチ、或はスライドの動作の境界だけでなく、前記のタッチ、或はスライド操作に係る継続時間及び圧力も検出できる。上記の実施例において、マルチメディアアセンブリ８０８は、一つのフロントカメラ、及び／又はリアカメラを含む。装置８００が、例えば撮影モード、或はビデオモード等の操作モードにある場合、フロントカメラ、及び／又はリアカメラは外部からマルチメディアデータを受信できる。フロントカメラとリアカメラのそれぞれは、一つの固定型の光レンズ系、或は可変焦点距離と光学ズーム機能を有するものであってもよい。
【０１８５】
オーディオアセンブリ８１０は、オーディオ信号を入出力するように構成されてもよい。例えば、オーディオアセンブリ８１０は、一つのマイク（ＭＩＣ）を含み、装置８００が、例えば呼出しモード、記録モード、及び音声認識モード等の操作モードにある場合、マイクは外部のオーディオ信号を受信することができる。受信されたオーディオ信号は、さらにメモリ８０４に記憶されたり、通信アセンブリ８１６を介して送信されたりされる。上記の実施例において、オーディオアセンブリ９１０は、オーディオ信号を出力するための一つのスピーカーをさらに含む。
【０１８６】
Ｉ／Ｏインターフェイス８１２は、プロセスアセンブリ８０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、起動ボタン、ロッキングボタンを含んでもよいが、これらに限定されない。
【０１８７】
センサアセンブリ８１４は、装置８００に各方面の状態に対する評価を提供するための一つ以上のセンサを含む。例えば、センサアセンブリ８１４は、装置８００のＯＮ／ＯＦＦ状態、装置８００のディスプレイとキーパッドのようなアセンブリの相対的な位置決めを検出できる。また、例えば、センサアセンブリ８１４は、装置８００、或は装置８００の一つのアセンブリの位置変更、ユーザと装置８００とが接触しているか否か、装置８００の方位、又は加速／減速、装置８００の温度の変化を検出できる。センサアセンブリ８１４は、何れの物理的接触がない状態にて付近の物体の存在を検出するための近接センサを含んでもよい。センサアセンブリ８１４は、撮影アプリケーションに適用するため、ＣＭＯＳ、又はＣＣＤ図像センサのような光センサを含んでもよい。上記の実施例において、当該センサアセンブリ８１４は、加速度センサ、ジャイロスコープセンサ、磁気センサ、圧力センサ、及び温度センサをさらに含んでもよい。
【０１８８】
通信アセンブリ８１６は、装置８００と他の機器の間に有線、又は無線形態の通信を提供する。装置８００は、例えばＷｉＦｉ、２Ｇ、３Ｇ、或はこれらの組み合わせのような、通信規格に基づいた無線ネットワークに接続されてもよい。一つの例示的な実施例において、通信アセンブリ８１６は、放送チャンネルを介して外部の放送管理システムからの放送信号、又は放送に関連する情報を受信する。一つの例示的な実施例において、前記通信アセンブリ８１６は、近距離無線通信（ＮＦＣ）モジュールをさらに含むことにより、近距離通信を推進するようにする。例えば、ＮＦＣモジュールは、ＲＦＩＤ（Ｒａｄｉｏ  Ｆｒｅｑｕｅｎｃｙ  ＩＤｅｎｔｉｆｉｃａｔｉｏｎ）技術、ＩｒＤＡ（Ｉｎｆｒａｒｅｄ  Ｄａｔａ  Ａｓｓｏｃｉａｔｉｏｎ）技術、ＵＷＢ（Ｕｌｔｒａ  Ｗｉｄｅ  Ｂａｎｄ）技術、ＢＴ（Ｂｌｕｅｔｏｏｔｈ）技術、他の技術に基づいて実現できる。
【０１８９】
例示的な実施例において、装置８００は、一つ以上のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）、ＤＳＰＤ（Ｄｉｇｉｔａｌ  Ｓｉｇｎａｌ  Ｐｒｏｃｅｓｓｉｎｇ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、または他の電子部品によって実現されるものであり、上記方法を実行する。
【０１９０】
例示的な実施例では、さらに、指令を含むコンピュータ読み取り可能な非一時的な記憶媒体、例えば、指令を含むメモリ８０４を提供しており、装置８００のプロセッサ８２０により前記指令を実行して上記方法を実現する。例えば、コンピュータ読み取り可能な非一時的な記憶媒体は、ＲＯＭ、ＲＡＭ、ＣＤ−ＲＯＭ、磁気テープ、フロッピーディスク、および光データ記憶デバイスなどであってもよい。
【０１９１】
コンピュータ読み取り可能な非一時的な記憶媒体は、装置８００のプロセッサにより前記記憶媒体における指令が実行される場合、装置８００に上記各実施例に係る撮影パラメータの調節方法を実行させることができる。
【０１９２】
当業者にとって、明細書を考慮してこの発明を実施した後、本発明のその他の実施の形態を容易に想到し得ることができる。本願は、本発明のいかなる変形、用途又は適応的変化をカバーすることを目的とし、これら変形、用途又は適応的変化は、本発明の一般的原理に従うとともに、本発明に開示されていない本技術分野における公知の常識又は慣用の技術手段を含む。明細書及び実施例は、例示的なものに過ぎず、本発明の本当の範囲及び主旨は、特許請求の範囲に含まれる。
【０１９３】
本発明は、以上のように説明すると共に図面に示された正確な構造に限られず、その要旨を逸脱しない範囲内で各種の補正及び変更を行うことができると理解すべきである。本発明の範囲は、特許請求の範囲のみで限定される。
【図１Ａ】
2016533100.tif 000003
【図１Ｂ】
2016533100.tif 000004
【図１Ｃ】
2016533100.tif 000005
【図２Ａ】
2016533100.tif 000006
【図２Ｂ】
2016533100.tif 000007
【図２Ｃ】
2016533100.tif 000008
【図２Ｄ】
2016533100.tif 000009
【図３Ａ】
2016533100.tif 000010
【図３Ｂ】
2016533100.tif 000011
【図３Ｃ】
2016533100.tif 000012
【図４Ａ】
2016533100.tif 000013
【図４Ｂ】
2016533100.tif 000014
【図４Ｃ】
2016533100.tif 000015
【図４Ｄ】
2016533100.tif 000016
【図４Ｅ】
2016533100.tif 000017
【図４Ｆ】
2016533100.tif 000018
【図５】
2016533100.tif 000019
【図６】
2016533100.tif 000020
【図７】
2016533100.tif 000021
【図８】
2016533100.tif 000022
【手続補正書】
【提出日】平成27年1月15日(2015.1.15)
【手続補正１】
【補正対象書類名】明細書
【補正対象項目名】全文
【補正方法】変更
【補正の内容】
【発明の詳細な説明】
【相互参照】
【０００１】
本願は、出願番号がＣＮ２０１４１０３４５５４５．６であって、出願日が２０１４年７月１８日である中国特許出願に基づき優先権を主張し、当該中国特許出願のすべての内容を本願に援用する。
【技術分野】
【０００２】
本発明は、画像処理の分野に関し、特に、撮影パラメータの調節方法、装置、プログラム、及び記録媒体に関する。
【背景技術】
【０００３】
現在、スマートフォン、タブレットＰＣのような電子機器は、だんだん人々の生活必需品になってきた。これらの電子機器を用いて写真を撮影することは、ユーザに最もよく使われる機能である。
【０００４】
撮影の過程において、一眼レフカメラが機械装置により撮影パラメータを調節することと異なるのは、上記電子機器は、通常、いずれもタッチスクリーンにより撮影パラメータを調節することである。即ち、撮影を開始した後、電子機器がタッチスクリーンに１つの撮影ファインダーを表示するとともに、撮影ファインダーの一辺にいくつかのボタン、例えば、撮影モード選択ボタン、露光制御ボタン、ホワイトバランス制御ボタン等を表示することができる。ユーザは、ある撮影パラメータを調整する必要がある場合、相応のボタンをクリックすることにより、相応のプルダウンメニューの表示をトリガーすることができ、その後、当該プルダウンメニューにおいて当該撮影パラメータに対して選択または調節を行う。
【０００５】
発明人らは、本発明を実現する過程において、上記形態は少なくとも次の欠点、即ち、ユーザがタッチスクリーンにおけるボタンにより撮影パラメータを調節する場合、通常、モバイル端末が当該撮影パラメータに対応するプルダウンメニューを表示し得るために、選択操作を２〜３回行う必要があり、そしてユーザが当該撮影パラメータを調節して始めることができるようになり、調節プロセス全体の操作の階層が多すぎて効率が比較的低いという欠点を有することを見出した。
【発明の概要】
【０００６】
従来技術において、ユーザがタッチスクリーンにおけるボタンにより撮影パラメータを調節する時に、調節プロセスの操作階層が多すぎて効率が比較的低い問題を解決するために、本発明に係る実施例では、撮影パラメータの調節方法、、装置、プログラム、及び記録媒体を提供する。前記の技術案は、次の通りである。
【０００７】
本発明に係る第１態様では、タッチスクリーンに表示された撮影ファインダー上においてトリガーされるクリック信号を受信するステップと、
前記クリック信号のクリック位置を参考位置として、撮影パラメータに対応するスライド調節コントローラを表示するステップと、
前記スライド調節コントローラに作用したスライドタッチ信号を受信するステップと、
前記スライドタッチ信号に基づいて前記撮影パラメータを調節するステップと、を含む撮影パラメータの調節方法を提供する。
【０００８】
選択的に、前記クリック信号のクリック位置を参考位置として、撮影パラメータに対応するスライド調節コントローラを表示するステップは、
前記クリック信号のクリック位置を円心として、１個の撮影パラメータに対応するダイヤル調節コントローラを表示するステップを含み、
前記ダイヤル調節コントローラの表示様式は、完全な円形、不完全な円形、完全な環形、および不完全な環形のうちのいずれか１種である。
【０００９】
選択的に、前記方法は、
コントローラ切替信号を受信するステップと、
前記コントローラ切替信号に基づいて、前記撮影パラメータに対応するダイヤル調節コントローラを、他の一つの撮影パラメータに対応するダイヤル調節コントローラに切り替えて表示するステップとをさらに含む。
【００１０】
選択的に、前記クリック信号のクリック位置を参考位置として、撮影パラメータに対応するスライド調節コントローラを表示するステップは、
前記クリック信号のクリック位置を円心として、同一の前記円心に基づいて、ｎ（ｎ≧２）個の撮影パラメータに対応するｎ個のダイヤル調節コントローラを表示し、各撮影パラメータが１個のダイヤル調節コントローラに対応するステップを含み、
前記ダイヤル調節コントローラの表示様式は、完全な円形、不完全な円形、完全な環形および不完全な環形のうちのいずれか１種である。
【００１１】
選択的に、同一の前記円心に基づいて、ｎ個の撮影パラメータに対応するｎ個のダイヤル調節コントローラを表示するステップは、
異なる半径で同一の円心の同心円の様式でｎ個の撮影パラメータに対応するｎ個のダイヤル調節コントローラを表示するステップ、
または、
前記円心により位置決めされる同一環形における異なる弧度位置に、前記ｎ個のダイヤル調節コントローラを表示するステップ
を含む。
【００１２】
選択的に、前記スライドタッチ信号に基づいて前記撮影パラメータを調節するステップは、
前記スライドタッチ信号が時計回り方向のスライド信号である場合、前記撮影パラメータを増大し、増大の幅と前記時計回り方向のスライド信号のスライド軌跡の軌跡の長さとが正の相関関係にあるステップと、
前記スライドタッチ信号が反時計回り方向のスライド信号である場合、前記撮影パラメータを減少し、減少の幅と前記反時計回り方向のスライド信号のスライド軌跡の軌跡の長さとが正の相関関係にあるステップとを含み、
または、
前記スライドタッチ信号が時計回り方向のスライド信号である場合、前記撮影パラメータを減少し、減少の幅と前記時計回り方向のスライド信号のスライド軌跡の軌跡の長さとが正の相関関係にあるステップと、
前記スライドタッチ信号が反時計回り方向のスライド信号である場合、前記撮影パラメータを増大し、増大の幅と前記反時計回り方向のスライド信号のスライド軌跡の軌跡の長さとが正の相関関係にあるステップとを含む。
【００１３】
選択的に、前記スライドタッチ信号に基づいて前記撮影パラメータを調節するステップは、
前記スライドタッチ信号のスライド速度が所定閾値を超えるか否かを検出するステップと、
前記スライドタッチ信号のスライド速度が前記所定閾値を超えた場合、前記撮影パラメータをディフォルト値に調節するステップと、
を含む。
【００１４】
選択的に、前記ダイヤル調節コントローラに、前記撮影パラメータに対応する目盛り標識が設置される。
【００１５】
選択的に、前記撮影パラメータは、露光補正値、ホワイトバランス値、感光度、絞り値、フォーカスの焦点距離、およびシャッター速度のうちの少なくとも１種を含む。
【００１６】
選択的に、前記方法は、
前記クリック信号のクリック位置をフォーカス位置として、オートフォーカスを行うステップをさらに含む。
【００１７】
選択的に、前記方法は、
前記オートフォーカスを終了した後、前記スライド調節コントローラに作用したクリック信号を受信するステップと、
前記クリックモジュールが前記クリック信号を受信した後、前記撮影パラメータに基づいて撮影を行うステップとを、さらに含む。
【００１８】
本発明に係る第２の態様では、タッチスクリーンに表示された撮影ファインダー上においてトリガーされるクリック信号を受信するように配置されるクリック受信モジュールと、
前記クリック信号のクリック位置を参考位置として、撮影パラメータに対応するスライド調節コントローラを表示するように配置されるコントローラ表示モジュールと、
前記スライド調節コントローラに作用したスライドタッチ信号を受信するように配置されるスライド受信モジュールと、
前記スライドタッチ信号に基づいて前記撮影パラメータを調節するように配置されるパラメータ調節モジュールと、を備える撮影パラメータの調節装置を提供する。
【００１９】
選択的に、前記コントローラ表示モジュールは、前記クリック信号のクリック位置を参考位置として、１個の撮影パラメータに対応するダイヤル調節コントローラを表示するように配置され、前記ダイヤル調節コントローラの表示様式は、完全な円形、不完全な円形、完全な環形、および不完全な環形のうちのいずれか１種である。
【００２０】
選択的に、前記装置は、
コントローラ切替信号を受信するように配置される切替受信モジュールと、
前記コントローラ切替信号に基づいて、前記撮影パラメータに対応するダイヤル調節コントローラを、他の一つの撮影パラメータに対応するダイヤル調節コントローラに切り替えて表示するように配置されるコントローラ切替モジュールとを、さらに備える。
【００２１】
選択的に、前記コントローラ表示モジュールは、前記クリック信号のクリック位置を円心として、同一の前記円心に基づいて、ｎ個の撮影パラメータに対応するｎ（ｎ≧２）個のダイヤル調節コントローラを表示し、各撮影パラメータが１個のダイヤル調節コントローラに対応するように配置され、
前記ダイヤル調節コントローラの表示様式は、完全な円形、不完全な円形、完全な環形および不完全な環形のうちのいずれか１種である。
【００２２】
選択的に、前記コントローラ表示モジュールは、
異なる半径で同一の円心の同心円の様式でｎ個の撮影パラメータに対応するｎ個のダイヤル調節コントローラを表示するように配置される同心円表示ユニット、
または、
前記円心により位置決めされる同一環形における異なる弧度位置に前記ｎ個のダイヤル調節コントローラを表示するように配置される弧度表示ユニット、
を備える。
【００２３】
選択的に、前記パラメータ調節モジュールは、
前記スライドタッチ信号が時計回り方向のスライド信号である場合、前記撮影パラメータを増大し、増大の幅と前記時計回り方向のスライド信号のスライド軌跡の軌跡の長さとが正の相関関係にあるように配置される第１の調節ユニットと、
前記スライドタッチ信号が反時計回り方向のスライド信号である場合、前記撮影パラメータを減少し、減少の幅と前記反時計回り方向のスライド信号のスライド軌跡の軌跡の長さとが正の相関関係にあるように配置される第２の調節ユニットと、を備え、
または、
前記スライドタッチ信号が時計回り方向のスライド信号である場合、前記撮影パラメータを減少し、減少の幅と前記時計回り方向のスライド信号のスライド軌跡の軌跡の長さとが正の相関関係にあるように配置される第３の調節ユニットと、
前記スライドタッチ信号が反時計回り方向のスライド信号である場合、前記撮影パラメータを増大し、増大の幅と前記反時計回り方向のスライド信号のスライド軌跡の軌跡の長さとが正の相関関係にあるように配置される第４の調節ユニットと、を備える。
【００２４】
選択的に、前記パラメータ調節モジュールは、
前記スライドタッチ信号のスライド速度が所定閾値を超えるか否かを検出するように配置される速度検出ユニットと、
前記スライドタッチ信号のスライド速度が前記所定閾値を超えた場合、前記撮影パラメータをディフォルト値に調節するように配置されるパラメータリセットユニットと、を備える。
【００２５】
選択的に、前記ダイヤル調節コントローラに前記撮影パラメータに対応する目盛り標識が設置される。
【００２６】
選択的に、前記撮影パラメータは、露光補正値、ホワイトバランス値、感光度、絞り値、フォーカスの焦点距離、およびシャッター速度のうちの少なくとも１種を含む。
【００２７】
選択的に、前記装置は、前記クリック信号のクリック位置をフォーカス位置として、オートフォーカスを行うように配置されるオートフォーカスモジュールをさらに備える。
【００２８】
選択的に、前記装置は、
前記オートフォーカスを終了した後、前記スライド調節コントローラに作用したクリック信号を受信するように配置されるクリックモジュールと、
前記クリックモジュールが前記クリック信号を受信した後、前記撮影パラメータに基づいて撮影を行うように配置される撮影モジュールとを、さらに備える。
【００２９】
本発明に係る第３の態様では、プロセッサと、
前記プロセッサが実行可能な指令を記憶するためのメモリと、を備え、
前記プロセッサは、
タッチスクリーンに表示された撮影ファインダー上においてトリガーされるクリック信号を受信し、
前記クリック信号のクリック位置を参考位置として、撮影パラメータに対応するスライド調節コントローラを表示し、
前記スライド調節コントローラに作用したスライドタッチ信号を受信し、
前記スライドタッチ信号に基づいて前記撮影パラメータを調節するように配置される撮影パラメータの調節装置を提供する。
本発明に係る第４の態様では、プロセッサに実行されることにより、前記の撮影パラメータの調節方法を実現するプログラムを提供する。
本発明に係る第５の態様では、前記のプログラムが記録された記録媒体を提供する。
【００３０】
本発明に係る実施例に提供された技術案では、次の有益な効果を果たすことができる。
即ち、クリック信号のクリック位置を中心として、撮影パラメータに対応するスライド調節コントローラを表示し、スライド調節コントローラに作用したスライドタッチ信号を受信し、スライドタッチ信号に基づいて撮影パラメータを調節する。これにより、ユーザがタッチスクリーンにおけるボタンにより撮影パラメータを調節する場合、調節過程の操作階層が多すぎて効率が比較的低い問題を解決した。ユーザがスライド調節コントローラにおいて直接にスライドタッチ信号を用い、撮影パラメータを調節することができるため、操作過程全体は、とても簡単で敏捷であり、効率が比較的高いという効果を達成する。
【００３１】
以上の一般的な説明及び後述の詳細な説明は、例示的なものに過ぎず、本発明を限定するものではないことを理解すべきである。
【図面の簡単な説明】
【００３２】
ここで、図面は明細書に組み込んで本明細書の一部とし、本発明に合致する実施例を示すとともに、明細書とともに本発明の原理を説明する。
【図１Ａ】例示的な実施例に係る撮影パラメータの調節方法を示すフローチャートである。
【図１Ｂ】図１Ａに示す実施例に係る撮影パラメータの調節方法の実施可能な形態におけるインターフェースを示す概略図である。
【図１Ｃ】図１Ａに示す実施例に係るスライド調節コントローラの異なる実施形態におけるインターフェースを示す概略図である。
【図２Ａ】他の例示的な実施例に係る撮影パラメータの調節方法を示すフローチャートである。
【図２Ｂ】図２Ａに示す実施例に係るダイヤル調節コントローラのインターフェースを示す概略図である。
【図２Ｃ】図２Ａに示す実施例に係る時計回り方向のスライド信号によりダイヤル調節コントローラを調節する時のインターフェースを示す概略図である。
【図２Ｄ】図２Ａに示す実施例に係る時計回り方向のスライド信号によりダイヤル調節コントローラを調節する時のインターフェースを示す概略図である。
【図３Ａ】他の例示的な実施例に係る撮影パラメータの調節方法を示すフローチャートである。
【図３Ｂ】図３Ａに示す実施例に係るダイヤル調節コントローラのインターフェースを示す概略図である。
【図３Ｃ】図３Ａに示す実施例に係るダイヤル調節コントローラを切り替えて表示するインターフェースを示す概略図である。
【図４Ａ】他の例示的な実施例に係る撮影パラメータの調節方法を示すフローチャートである。
【図４Ｂ】図４Ａに示す実施例に係るｎ個のダイヤル調節コントローラを同時に表示するインターフェースを示す概略図である。
【図４Ｃ】図４Ａに示す実施例に係るｎ個のダイヤル調節コントローラを同時に表示する他のインターフェースを示す概略図である。
【図４Ｄ】その他の例示的な実施例に係るオートフォーカスの後でスライド調節コントローラに対して変更して表示するインターフェースを示す概略図である。
【図４Ｅ】その他の例示的な実施例に係るスライド調節コントローラのインターフェースを示す概略図である。
【図４Ｆ】他の例示的な実施例に係るスライド調節コントローラのインターフェースを示す概略図である。
【図５】１つの例示的な実施例に係る撮影パラメータ調節装置を示すブロック図である。
【図６】他の例示的な実施例に係る撮影パラメータ調節装置を示すブロック図である。
【図７】他の例示的な実施例に係る撮影パラメータ調節装置を示すブロック図である。
【図８】１つの例示的な実施例に係る撮影パラメータ調節装置を示すブロック図である。
【００３３】
上記図面を通じて本発明の明確な実施例を例示し、以下にさらに詳しく記述する。このような図面と文字記述は本発明の旨の範囲を制限するものではなく、特定の実施例を参照することによって、本技術分野の当業者に本発明の概念を理解させるためのものである。
【発明を実施するための形態】
【００３４】
ここで、例示的実施例を詳しく説明し、その実施例は図面に示される。以下の説明は図面に係る場合、特別に示されない限り、異なる図面における同じ符号は同じ又は共通する要素を示す。本発明に合致するすべての実施の形態は、以下の例示的実施例で記述される実施の形態に限られない。逆に、以下の例示的実施例で記述される実施の形態は、特許請求の範囲に詳しく記述される、本発明のいくつかの形態に合致する装置及び方法の実例に過ぎない。
【００３５】
本発明に係る撮影パラメータの調節方法は、撮影能力およびタッチスクリーンを備える電子機器に用いられることができる。当該電子機器は、携帯電話、タブレットＰＣ、電子書籍リーダー、ＭＰ３プレーヤー（Ｍｏｖｉｎｇ  Ｐｉｃｔｕｒｅ  Ｅｘｐｅｒｔｓ  Ｇｒｏｕｐ  Ａｕｄｉｏ  Ｌａｙｅｒ  ＩＩＩ）、ＭＰ４（Ｍｏｖｉｎｇ  Ｐｉｃｔｕｒｅ  Ｅｘｐｅｒｔｓ  Ｇｒｏｕｐ  Ａｕｄｉｏ  Ｌａｙｅｒ  ＩＶ）プレーヤー、ポータブルノートパソコンやデスクトップコンピュータ等であることができる。
【００３６】
発明人らは、本発明を実現する過程において、ユーザがスマートフォンまたはタブレットＰＣを用いて写真を撮影する場合、操作階層が深すぎるため、ユーザが露光補正値、ホワイトバランス等の撮影パラメータを調節する場合が少なく、直接にフールモード（全自動モード）を用いる場合が多いことを見出した。一方、タッチスクリーンを用いて撮影ファインダーを表示する場合、ユーザに最も多く用いられる操作の一つとして、撮影ファインダー上においてクリック信号によりフォーカス位置を確定する。そのために、発明人らは、便利で敏捷である撮影パラメータの調節方法を実現するように、撮影パラメータを調節する過程とクリック信号によりフォーカス位置を確定する過程との有機的な組み合わせを図った。具体的には、次の実施例を参照する。
【００３７】
図１Ａは、例示的な実施例に係る撮影パラメータの調節方法を示すフローチャートである。本実施例では、当該撮影パラメータの調節方法が、撮影能力およびタッチスクリーンを備える電子機器において適用され、当該方法は、次のようなステップ１０２〜ステップ１０８を含む。
【００３８】
ステップ１０２において、タッチスクリーンに表示された撮影ファインダー上においてトリガーされるクリック信号を受信する。
【００３９】
ステップ１０４において、クリック信号のクリック位置を参考位置として、撮影パラメータに対応するスライド調節コントローラを表示する。
【００４０】
当該スライド調節コントローラは、通常、ダイヤル調節コントローラであり、当該ダイヤル調節コントローラの表示様式は、完全な円形、不完全な円形、完全な環形、および不完全な環形のうちのいずれか１種であってもよい。
【００４１】
ステップ１０６において、スライド調節コントローラに作用したスライドタッチ信号を受信する。
【００４２】
ステップ１０８において、スライドタッチ信号に基づいて撮影パラメータを調節する。
【００４３】
上記のように、本実施例に係る撮影パラメータの調節方法では、クリック信号のクリック位置を参考位置として、撮影パラメータに対応するスライド調節コントローラを表示し、スライド調節コントローラに作用したスライドタッチ信号を受信し、スライドタッチ信号に基づいて撮影パラメータを調節する。これにより、ユーザがタッチスクリーンにおけるボタンにより撮影パラメータを調節する場合、調節過程の操作階層が多すぎて効率が比較的低い問題を解決した。ユーザがスライド調節コントローラにおいて直接にスライドタッチ信号を用い、撮影パラメータを調節することができるため、操作過程全体は、とても簡単で敏捷であり、効率が比較的高いという効果を達成する。
【００４４】
１つの例示的な例において、図１Ｂを参照するように、１回の撮影の過程に、ユーザが撮影ファインダー１２においてモバイル端末へクリック信号を出し、モバイル端末がクリック信号のクリック位置を参考位置として、撮影パラメータ「露光補正」に対応するスライド調節コントローラ１４を表示し、当該スライド調節コントローラ１４は、クリック位置を円心として外観が円形を呈するダイヤル調節コントローラであり、ユーザが時計回り方向のスライド信号、または反時計回り方向のスライド信号により、当該ダイヤル調節コントローラを調節し、さらに、相応の撮影パラメータを調節して変化させ、例えば、時計回り方向のスライド信号により、露光補正値を０．１から０．２まで増大する。
【００４５】
説明すべきことは、スライド調節コントローラ１４が、クリック位置を中心とし、曲線タイプのスライドタッチ信号により制御するコントローラである。スライド調節コントローラ１４は、表示時の表示様式を限定しておらず、図１Ｃの左から右へ、上から下へ順次に示すように、完全な円形、不完全な円形、完全な環形または不完全な環形であってもよく、もちろん、その他の様式であってもよい。
【００４６】
また、説明すべきことは、撮影パラメータが、露光補正値、ホワイトバランス値、感光度、絞り値、フォーカスの焦点距離、およびシャッター速度のうちの少なくとも１種を含む。
【００４７】
図２Ａは、他の例示的な実施例に係る撮影パラメータの調節方法を示すフローチャートである。本実施例では、当該撮影パラメータの調節方法が、撮影能力およびタッチスクリーンを備える電子機器において適用され、当該方法は、次のようなステップ２０１〜ステップ２０６を含む。
【００４８】
ステップ２０１において、タッチスクリーンに表示された撮影ファインダー上においてトリガーされるクリック信号を受信する。
【００４９】
ユーザが撮影能力およびタッチスクリーンを備える電子機器を用いて撮影を行う場合、電子機器がタッチスクリーンにおいて撮影内容をプレビューするための撮影ファインダーを表示する。
【００５０】
ユーザがタッチスクリーンで表示した撮影ファインダー上においてクリック信号をトリガーし、電子機器が当該クリック信号のクリック位置をフォーカス位置としてもよく、電子機器がオートフォーカスの機能を持っている場合、当該クリック位置に対してオートフォーカスを行うことができる。
【００５１】
ステップ２０２において、クリック信号のクリック位置を円心として、１つの撮影パラメータに対応するダイヤル調節コントローラを表示する。
【００５２】
電子機器が当該クリック信号を受信した後、電子機器がクリック信号のクリック位置を円心として、１個の撮影パラメータに対応するダイヤル調節コントローラを表示する。当該ダイヤル調節コントローラが、撮影パラメータに対応する目盛り標識を含む完全な環形のコントローラであってもよい。
【００５３】
例えば、図２Ｂに示すように、当該撮影パラメータは露光補正値であってもよく、即ち、当該ダイヤル調節コントローラ２２は、露光補正値を調節するために用いられ、当該ダイヤル調節コントローラ２２は、１個の完全な環形２４を含み、且つ当該環形２４の内側に、均一に分布する、異なる露光補正値に対応する目盛り標識２６が配列されている。
【００５４】
ステップ２０３において、ダイヤル調節コントローラに作用したスライドタッチ信号を受信する。
【００５５】
電子機器はユーザのトリガーしたスライドタッチ信号を受信し、当該スライドタッチ信号は、ダイヤル調節コントローラに作用したスライドタッチ信号である。当該スライドタッチ信号は、時計回り方向のスライド信号であってもよく、または、当該スライドタッチ信号は、反時計回り方向のスライド信号であってもよい。
【００５６】
ステップ２０４において、スライドタッチ信号に基づいて撮影パラメータを調節する。
【００５７】
スライドタッチ信号によって、当該ステップは、次のような２つのケースに分ける。
【００５８】
スライドタッチ信号が時計回り方向のスライド信号である場合、電子機器が撮影パラメータを増大し、増大の幅と時計回り方向のスライド信号のスライド軌跡の軌跡長さとが正の相関関係にある。
【００５９】
例えば、図２Ｃに示すように、スライドタッチ信号が時計回り方向のスライド信号である場合、電子機器が露光補正値を増大し、時計回り方向のスライド信号が１／４円周を回転する場合、露光補正値を０．１から０．２まで大きくさせ、時計回り方向のスライド信号が１／２円周を回転する場合、露光補正値を０．１から０．３まで大きくさせる。
【００６０】
スライドタッチ信号が反時計回り方向のスライド信号である場合、電子機器が撮影パラメータを減少し、減少の幅と反時計回り方向のスライド信号のスライド軌跡の軌跡長さとが正の相関関係にある。
【００６１】
例えば、図２Ｄに示すように、スライドタッチ信号が反時計回り方向のスライド信号である場合、電子機器が露光補正値を減少し、反時計回り方向のスライド信号が１／４円周を回転する場合、露光補正値を０．１から０まで小さくさせ、時計回り方向のスライド信号が１／２円周を回転する場合、露光補正値を０．１から−０．１まで小さくさせる。
【００６２】
一実現可能な形態では、当該ステップは、さらに、次のようなステップを含む。
【００６３】
１．スライドタッチ信号のスライド速度が所定閾値を超えるか否かを検出する。
【００６４】
電子機器が時計回り方向のスライド信号、または反時計回り方向のスライド信号を受信した後、さらに、当該時計回り方向のスライド信号、または反時計回り方向のスライド信号のスライド速度が所定閾値を超えるか否かを検出することができる。即ち、当該時計回り方向のスライド信号、または反時計回り方向のスライド信号が快速スライド信号であるか否かを検出する。
【００６５】
２．スライドタッチ信号のスライド速度が所定閾値を超えた場合、撮影パラメータをディフォルト値に調節する。
【００６６】
当該スライドタッチ信号のスライド速度が所定閾値を超えた場合、電子機器が撮影パラメータをディフォルト値にリセットし、例えば、露光補正値を、快速にディフォルト値０に変更する。
【００６７】
明らかに、当該実現可能な形態は、ユーザが多数回の調節をしても所望な効果に達しない場合、当該撮影パラメータを、快速に初期のディフォルト値にリセットすることができる。
【００６８】
ステップ２０５において、撮影トリガー信号を受信する。
【００６９】
撮影パラメータの調節を終了した後、電子機器がユーザにトリガーされた撮影トリガー信号を受信する。当該撮影トリガー信号は、ユーザがユーザインターフェースにおける撮影ボタンをクリックすることでトリガーされた信号であってもよい。
【００７０】
ステップ２０６において、撮影パラメータに基づいて撮影を行う。
【００７１】
調節後の撮影パラメータに基づいて撮影を行う。
【００７２】
上記のように、本実施例に係る撮影パラメータの調節方法では、クリック信号のクリック位置を中心として、撮影パラメータに対応するスライド調節コントローラを表示し、スライド調節コントローラに作用したスライドタッチ信号を受信し、スライドタッチ信号に基づいて撮影パラメータを調節する。これにより、ユーザがタッチスクリーンにおけるボタンにより撮影パラメータを調節する場合、調節過程の操作階層が多すぎて効率が比較的低い問題を解決した。ユーザがスライド調節コントローラにおいて直接にスライドタッチ信号を用い、撮影パラメータを調節することができるため、操作過程全体は、とても簡単で敏捷であり、効率が比較的高いという効果を達成する。
【００７３】
図２Ａに示す実施例におけるスライド調節コントローラが１個の撮影パラメータを調節するように用いられるため、複数の撮影パラメータを調節することができるように、図３Ａに示す実施例を参照することができる。
【００７４】
図３Ａは、他の例示的な実施例に係る撮影パラメータの調節方法を示すフローチャートである。本実施例では、当該撮影パラメータの調節方法が、撮影能力およびタッチスクリーンを備える電子機器において適用され、当該方法は、次のようなステップ３０１〜ステップ３０８を含む。
【００７５】
ステップ３０１において、タッチスクリーンに表示された撮影ファインダー上においてトリガーされたクリック信号を受信する。
【００７６】
ユーザが撮影能力およびタッチスクリーンを備える電子機器を用いて撮影を行う場合、電子機器がタッチスクリーンにおいて撮影内容をプレビューするための撮影ファインダーを表示する。
【００７７】
ユーザがタッチスクリーンで表示した撮影ファインダー上においてクリック信号をトリガーし、電子機器が当該クリック信号のクリック位置をフォーカス位置としてもよく、電子機器がオートフォーカスの機能を持っている場合、当該クリック位置に対してオートフォーカスを行うことができる。
【００７８】
ステップ３０２において、クリック信号のクリック位置を円心として、１つの撮影パラメータに対応するダイヤル調節コントローラを表示する。
【００７９】
電子機器が当該クリック信号を受信した後、電子機器がクリック信号のクリック位置を円心として、１個の撮影パラメータに対応するダイヤル調節コントローラを表示する。当該ダイヤル調節コントローラが不完全な環形のコントローラであってもよく、且つ当該不完全な環形の上に撮影パラメータに対応する目盛り標識と撮影パラメータの名称を含む。
例えば、図３Ｂに示すように、当該撮影パラメータが露光補正値であってもよく、即ち、当該ダイヤル調節コントローラ３２は、露光補正値を調節するために用いられ、当該ダイヤル調節コントローラ３２は、１個の不完全な環形３４を含み、且つ当該環形３４の切り欠け部分に撮影パラメータ「露光補正」の名称がある。
【００８０】
ステップ３０３において、コントローラ切替信号を受信する。
【００８１】
現在表示されているダイヤル調節コントローラは、ユーザが調節しようとする撮影パラメータに対応するコントローラではない場合、ユーザが電子機器へコントローラ切替信号を出す。
【００８２】
当該コントローラ切替信号は、電子機器により予め定義され、本実施例は、当該信号のトリガーする形態に対して限定しなく、所定物理ボタンを押してトリガーした信号であってもよく、タッチスクリーンに表示した仮想ボタンを押してトリガーした信号であってもよく、さらに所定スライド軌跡に合致したスライドタッチ信号でトリガーした信号であってもよく、さらに電子機器におけるセンサでトリガーした信号であってもよい。
【００８３】
例えば、図３Ｃに示すように、電子機器のタッチスクリーンの一辺には、さらに、いくつかのボタン３６が表示され、各ボタン３６がそれぞれ１個の撮影パラメータに対応する。１個のダイヤル調節コントローラを表示した後、ユーザが他の一つの撮影パラメータを調節しようとする場合、当該撮影パラメータに対応するボタン３６をクリックし、電子機器へコントローラ切替信号をトリガーする。
【００８４】
ステップ３０４において、コントローラ切替信号に基づいて、撮影パラメータに対応するダイヤル調節コントローラを、他の一つの撮影パラメータに対応するダイヤル調節コントローラに切り替えて表示する。
【００８５】
電子機器がコントローラ切替信号に基づいて、現在撮影パラメータに対応するダイヤル調節コントローラを、他の一つの撮影パラメータに対応するダイヤル調節コントローラに切り替えて表示する。
【００８６】
例えば、図３Ｃに示すように、ユーザが「絞り」ボタン３６をクリックする場合、電子機器が現在撮影パラメータ「露光補正値」に対応するダイヤル調節コントローラを、他の一つの撮影パラメータ「絞り」に対応するダイヤル調節コントローラ３８に切り替えて表示する。
【００８７】
ステップ３０５において、ダイヤル調節コントローラに作用したスライドタッチ信号を受信する。
【００８８】
電子機器はユーザのトリガーしたスライドタッチ信号を受信し、当該スライドタッチ信号は、ダイヤル調節コントローラに作用したスライドタッチ信号である。当該スライドタッチ信号は、時計回り方向のスライド信号であってもよく、または、当該スライドタッチ信号は、反時計回り方向のスライド信号であってもよい。
【００８９】
ステップ３０６において、スライドタッチ信号に基づいて撮影パラメータを調節する。
【００９０】
スライドタッチ信号によって、当該ステップは、次のような２つのケースに分ける。
【００９１】
スライドタッチ信号が時計回り方向のスライド信号である場合、電子機器が撮影パラメータを増大し、増大の幅と時計回り方向のスライド信号のスライド軌跡の軌跡長さとが正の相関関係にある。
【００９２】
スライドタッチ信号が反時計回り方向のスライド信号である場合、電子機器が撮影パラメータを減少し、減少の幅と反時計回り方向のスライド信号のスライド軌跡の軌跡長さとが正の相関関係にある。
【００９３】
他の実現可能な形態として、電子機器が時計回り方向のスライド信号により撮影パラメータを減少し、反時計回り方向のスライド信号により撮影パラメータを増大する。
【００９４】
また、その他の一実現可能な形態では、当該ステップは、さらに、次のようなステップを含む。
【００９５】
１．スライドタッチ信号のスライド速度が所定閾値を超えるか否かを検出する。
【００９６】
電子機器が時計回り方向のスライド信号、または反時計回り方向のスライド信号を受信した後、さらに、当該時計回り方向のスライド信号、または反時計回り方向のスライド信号のスライド速度が所定閾値を超えるか否かを検出することができる。即ち、当該時計回り方向のスライド信号、または反時計回り方向のスライド信号が快速スライド信号であるか否かを検出する。
【００９７】
２．スライドタッチ信号のスライド速度が所定閾値を超えた場合、撮影パラメータをディフォルト値に調節する。
【００９８】
当該スライドタッチ信号のスライド速度が所定閾値を超えた場合、電子機器が撮影パラメータをディフォルト値にリセットし、例えば、露光補正値を、快速にディフォルト値０に変更する。
【００９９】
明らかに、当該実現可能な形態は、ユーザが多数回の調節をしても所望な効果に達しない場合、当該撮影パラメータを、快速に初期のディフォルト値にリセットすることができる。
【０１００】
ステップ３０７において、撮影トリガー信号を受信する。
【０１０１】
撮影パラメータの調節を終了した後、電子機器がユーザにトリガーされた撮影トリガー信号を受信する。当該撮影トリガー信号は、ユーザがユーザインターフェースにおける撮影ボタンをクリックすることでトリガーされた信号であってもよい。
【０１０２】
ステップ３０８において、撮影パラメータに基づいて撮影を行う。
【０１０３】
調節後の撮影パラメータに基づいて、電子機器が撮影を行う。
【０１０４】
上記のように、本実施例に係る撮影パラメータの調節方法では、クリック信号のクリック位置を参考位置として、撮影パラメータに対応するスライド調節コントローラを表示し、スライド調節コントローラに作用したスライドタッチ信号を受信し、スライドタッチ信号に基づいて撮影パラメータを調節する。これにより、ユーザがタッチスクリーンにおけるボタンにより撮影パラメータを調節する場合、調節過程の操作階層が多すぎて効率が比較的低い問題を解決した。ユーザがスライド調節コントローラにおいて直接にスライドタッチ信号を用い、撮影パラメータを調節することができるため、操作過程全体は、とても簡単で敏捷であり、効率が比較的高いという効果を達成する。
【０１０５】
当該実施例に係る撮影パラメータの調節方法では、さらに、コントローラ切替信号に基づいて異なる撮影パラメータに対応するダイヤル調節コントローラに対して切替を行う技術案を提供し、ユーザがダイヤル調節コントローラにより異なる撮影パラメータに対して調節することができ、さらに操作効率の効果を向上させた。
【０１０６】
図２Ａに示す実施例におけるスライド調節コントローラが１個の撮影パラメータを調節するように用いられるため、複数の撮影パラメータを調節することができるように、さらに図４Ａに示す実施例を参照することができる。
【０１０７】
図４Ａは、他の例示的な実施例に係る撮影パラメータの調節方法を示すフローチャートである。本実施例では、当該撮影パラメータの調節方法が、撮影能力およびタッチスクリーンを備える電子機器において適用され、当該方法は、次のようなステップ４０１〜ステップ４０６を含む。
【０１０８】
ステップ４０１において、タッチスクリーンに表示された撮影ファインダー上においてトリガーされるクリック信号を受信する。
【０１０９】
ユーザが撮影能力およびタッチスクリーンを備える電子機器を用いて撮影を行う場合、電子機器がタッチスクリーンにおいて撮影内容をプレビューするための撮影ファインダーを表示する。
【０１１０】
ユーザがタッチスクリーンで表示した撮影ファインダー上においてクリック信号をトリガーし、電子機器が当該クリック信号のクリック位置をフォーカス位置としてもよく、電子機器がオートフォーカスの機能を持っている場合、当該クリック位置に対してオートフォーカスを行うことができる。
【０１１１】
ステップ４０２において、クリック信号のクリック位置を円心として、同一の円心に基づいて、ｎ個の撮影パラメータに対応するｎ個のダイヤル調節コントローラを表示し、各撮影パラメータは、１個のダイヤル調節コントローラに対応する。
【０１１２】
電子機器が当該クリック信号を受信した後、電子機器がクリック信号のクリック位置を円心として、ｎ（ｎ≧２）個の撮影パラメータに対応するｎ個のダイヤル調節コントローラを表示する。ここで、ダイヤル調節コントローラの表示様式は、完全な円形、不完全な円形、完全な環形、および不完全な環形のうちのいずれか１種である。
【０１１３】
一実現可能な形態としては、電子機器が異なる半径で同一の円心の同心円の様式でｎ個の撮影パラメータに対応するｎ個のダイヤル調節コントローラを表示する。
【０１１４】
例えば、図４Ｂに示すように、電子機器が異なる半径で同一の円心の同心円の様式で３個の撮影パラメータのそれぞれに対応する３個のダイヤル調節コントローラ４２を表示した。各ダイヤル調節コントローラ４２は、すべて不完全な環形であり、半径が最小であるダイヤル調節コントローラ４２は、撮影パラメータ「感光度」に対応しており、半径が中等であるダイヤル調節コントローラ４２は、撮影パラメータ「絞り」に対応しており、半径が最大であるダイヤル調節コントローラ４２は、撮影パラメータ「露光補正値」に対応している。
【０１１５】
他の実現可能な形態としては、電子機器が円心により位置決めされる同一環形における異なる弧度位置に、ｎ個のダイヤル調節コントローラを表示する。
【０１１６】
例えば、図４Ｃに示すように、電子機器が円心により位置決めされる環形における異なる弧度位置に、３個の撮影パラメータのそれぞれに対応する３個のダイヤル調節コントローラ４４を表示した。各ダイヤル調節コントローラ４４は、すべて不完全な環形であり、且つ各ダイヤル調節コントローラ４４は、すべて完全な環形の１／３を占める。ここで、１個のダイヤル調節コントローラ４４は、撮影パラメータ「感光度」に対応しており、他の１個のダイヤル調節コントローラ４４は、撮影パラメータ「絞り」に対応しており、その他の１個のダイヤル調節コントローラ４４は、撮影パラメータ「露光補正」に対応している。
【０１１７】
即ち、電子機器は、同時に複数の撮影パラメータに対応する複数のダイヤル調節コントローラを表示してもよい。
【０１１８】
ステップ４０３において、ダイヤル調節コントローラに作用したスライドタッチ信号を受信する。
【０１１９】
電子機器はユーザのトリガーしたスライドタッチ信号を受信し、当該スライドタッチ信号は、複数のダイヤル調節コントローラにおける１個のダイヤル調節コントローラに作用したスライドタッチ信号である。当該スライドタッチ信号は、時計回り方向のスライド信号であってもよく、または、当該スライドタッチ信号は、反時計回り方向のスライド信号であってもよい。
【０１２０】
ステップ４０４において、スライドタッチ信号に基づいて撮影パラメータを調節する。
【０１２１】
スライドタッチ信号によって、当該ステップは、次のような２つのケースに分ける。
【０１２２】
スライドタッチ信号が時計回り方向のスライド信号である場合、電子機器が撮影パラメータを増大し、増大の幅と時計回り方向のスライド信号のスライド軌跡の軌跡長さとが正の相関関係にある。
【０１２３】
スライドタッチ信号が反時計回り方向のスライド信号である場合、電子機器が撮影パラメータを減少し、減少の幅と反時計回り方向のスライド信号のスライド軌跡の軌跡長さとが正の相関関係にある。
【０１２４】
他の実現可能な形態として、電子機器が時計回り方向のスライド信号により撮影パラメータを減少し、反時計回り方向のスライド信号により撮影パラメータを増大する。
【０１２５】
また、その他の一実現可能な形態では、当該ステップは、さらに、次のようなステップを含む。
【０１２６】
１．スライドタッチ信号のスライド速度が所定閾値を超えるか否かを検出する。
【０１２７】
電子機器が時計回り方向のスライド信号、または反時計回り方向のスライド信号を受信した後、さらに、当該時計回り方向のスライド信号、または反時計回り方向のスライド信号のスライド速度が所定閾値を超えるか否かを検出することができる。即ち、当該時計回り方向のスライド信号、または反時計回り方向のスライド信号が快速スライド信号であるか否かを検出する。
【０１２８】
２．スライドタッチ信号のスライド速度が所定閾値を超えた場合、撮影パラメータをディフォルト値に調節する。
【０１２９】
当該スライドタッチ信号のスライド速度が所定閾値を超えた場合、電子機器が撮影パラメータをディフォルト値にリセットし、例えば、露光補正値を、快速にディフォルト値０に変更する。
【０１３０】
明らかに、当該実現可能な形態は、ユーザが多数回の調節をしても所望な効果に達しない場合、当該撮影パラメータを、快速に初期のディフォルト値にリセットすることができる。
【０１３１】
ステップ４０５において、撮影トリガー信号を受信する。
【０１３２】
撮影パラメータの調節を終了した後、電子機器がユーザにトリガーされた撮影トリガー信号を受信する。当該撮影トリガー信号は、ユーザがユーザインターフェースにおける撮影ボタンをクリックすることでトリガーされた信号であってもよい。
【０１３３】
ステップ４０６において、撮影パラメータに基づいて撮影を行う。
【０１３４】
調節後の撮影パラメータに基づいて、電子機器が撮影を行う。
【０１３５】
上記のように、本実施例に係る撮影パラメータの調節方法では、クリック信号のクリック位置を中心として、撮影パラメータに対応するスライド調節コントローラを表示し、スライド調節コントローラに作用したスライドタッチ信号を受信し、スライドタッチ信号に基づいて撮影パラメータを調節する。これにより、ユーザがタッチスクリーンにおけるボタンにより撮影パラメータを調節する場合、調節過程の操作階層が多すぎて効率が比較的低い問題を解決した。ユーザがスライド調節コントローラにおいて直接にスライドタッチ信号を用い、撮影パラメータを調節することができるため、操作過程全体は、とても簡単で敏捷であり、効率が比較的高いという効果を達成する。
【０１３６】
本実施例に係る撮影パラメータの調節方法では、さらに、同一の円心に基づいてｎ個の撮影パラメータに対応するｎ個のダイヤル調節コントローラを表示する技術案を提供し、ユーザがダイヤル調節コントローラにより複数の撮影パラメータに対して調節することができ、さらに操作効率の効果を向上させる。
【０１３７】
明らかに、上記の技術案において、電子機器がユーザのフォーカス点のクリック選択操作と撮影パラメータの調節操作とを有機的に組み合わせることができ、ユーザがフォーカス点を選択した後、余分な操作の必要がなく、すぐにスライド調節コントローラにより便利に撮影パラメータを調節することができ、ユーザが撮影パラメータを調節するための容易性と利便性を向上させる。従来技術における多数回の操作をしてから初めて撮影パラメータの調節メニューに進入することに比べると、大部分の撮影過程において、ユーザがクリックによりフォーカス点を選択する必要があるため、本発明におけるスライド調節コントローラを表示する操作階層は、ほぼゼロに近くなってもよく、ユーザの操作効率を顕著に向上させることができ、ユーザが撮影パラメータを調節することを促進する可能性があり、さらに、写真全体の品質が向上する。
【０１３８】
一実現可能な形態としては、上記の実施例において、電子機器がユーザのクリック信号を受信した後、クリック信号のクリック位置をフォーカス位置としてオートフォーカスを行うことができる。選択的に、オートフォーカスを終了した後、電子機器がスライド調節コントローラをさらに変更して表示し、当該変更して表示されたスライド調節コントローラは、オートフォーカス終了を表示するために用いられる。スライド調節コントローラにおける中央位置に表示された第１元素を第２元素に変更することにより当該変更して表示してもよい。
【０１３９】
例えば、図４Ｄに示すように、オートフォーカスを終了した後、電子機器がスライド調節コントローラにおける中央位置に表示された「円」４５を、「カメラボタン」４６に変更して表示し、これにより、オートフォーカス終了を示す。この後、ユーザは、スライド調節コントローラにより撮影パラメータを調節してもよい。
【０１４０】
当該実現可能な形態に基づいて、上記のステップ２０５からステップ２０６へ、または、ステップ３０７からステップ３０８へ、または、ステップ４０５からステップ４０６への交替可能なステップとしている。上記の図２Ａ、図３Ａおよび図４Ａに示す実施例は、さらに、次のようなステップを含む。
【０１４１】
１．オートフォーカスを終了した後、スライド調節コントローラに作用したクリック信号を受信する。
【０１４２】
ユーザーが写真を撮影したい場合、ユーザインターフェースの下方の撮影ボタンをクリックして撮影をトリガーするのみならず、さらにスライド調節コントローラにクリック信号を印加して撮影をトリガーしてもよい。
【０１４３】
例えば、図４Ｄに示すように、ユーザがスライド調節コントローラにおける「カメラボタン」４６をクリックして撮影をトリガーしてもよい。
【０１４４】
それに対応して、電子機器がスライド調節コントローラに作用したクリック信号を受信する。
【０１４５】
２．クリック信号を受信した後、撮影パラメータに基づいて撮影を行う。
【０１４６】
電子機器がクリック信号を受信した後、撮影パラメータに基づいて撮影を行う。
【０１４７】
さらに、再度に説明すべきことは、スライド調節コントローラの表示時の表示様式を限定しておらず、当該スライド調節コントローラは、クリック位置を中心として表示される、曲線タイプのスライドタッチ信号により調節されたコントローラであり、例えば、図４Ｅに示すように、スライド調節コントローラは、さらに、弧形で表示された調節コントローラであってもよく、さらに、例えば、図４Ｆに示すように、スライド調節コントローラは、スパイラル線形で表示された調節コントローラであってもよい。
【０１４８】
以下は、本発明に係る装置の実施例であり、本発明の方法の実施例を実行することに用いられてもよい。本発明に係る装置の実施例に記載されない詳細は、本発明に係る方法の実施例を参照することができる。
【０１４９】
図５は、１つの例示的な実施例に係る撮影パラメータの調節装置を示すブロック図であり、当該撮影パラメータの調節装置は、ソフトウェア、ハードウェア、または両方の組み合わせにより実現され、撮影能力およびタッチスクリーンを備える電子機器の一部または全部になることができる。当該撮影パラメータの調節装置は、
タッチスクリーンに表示された撮影ファインダー上においてトリガーされるクリック信号を受信するように配置されるクリック受信モジュール５２０と、
クリック信号のクリック位置を参考位置として、撮影パラメータに対応するスライド調節コントローラを表示するように配置されるコントローラ表示モジュール５４０と、
スライド調節コントローラに作用したスライドタッチ信号を受信するように配置されるスライド受信モジュール５６０と、
スライドタッチ信号に基づいて撮影パラメータを調節するように配置されるパラメータ調節モジュール５８０とを、備える。
【０１５０】
上記のように、本実施例に係る撮影パラメータの調節装置では、クリック信号のクリック位置を参考位置として、撮影パラメータに対応するスライド調節コントローラを表示し、スライド調節コントローラに作用したスライドタッチ信号を受信し、スライドタッチ信号に基づいて撮影パラメータを調節する。これにより、ユーザがタッチスクリーンにおけるボタンにより撮影パラメータを調節する場合、調節過程の操作階層が多すぎて効率が比較的低い問題を解決した。ユーザがスライド調節コントローラにおいて直接にスライドタッチ信号を用い、撮影パラメータを調節することができるため、操作過程全体は、とても簡単で敏捷であり、効率が比較的高いという効果を達成する。
【０１５１】
図６は、１つの例示的な実施例に係る撮影パラメータの調節装置を示すブロック図であり、当該撮影パラメータの調節装置は、ソフトウェア、ハードウェア、または両方の組み合わせにより実現され、撮影能力およびタッチスクリーンを備える電子機器の一部または全部になることができる。当該撮影パラメータの調節装置は、
タッチスクリーンに表示された撮影ファインダー上においてトリガーされるクリック信号を受信するように配置されるクリック受信モジュール５２０と、
クリック信号のクリック位置を参考位置として、撮影パラメータに対応するスライド調節コントローラを表示するように配置されるコントローラ表示モジュール５４０と、
スライド調節コントローラに作用したスライドタッチ信号を受信するように配置されるスライド受信モジュール５６０と、
スライドタッチ信号に基づいて撮影パラメータを調節するように配置されるパラメータ調節モジュール５８０とを、備える。
【０１５２】
一実現可能な形態では、コントローラ表示モジュール５４０は、クリック信号のクリック位置を円心として、１個の撮影パラメータに対応するダイヤル調節コントローラを表示し、ダイヤル調節コントローラの表示様式が完全な円形、不完全な円形、完全な環形、および不完全な環形のうちのいずれか１種であるように配置される。
【０１５３】
選択的に、当該撮影パラメータの調節装置は、
コントローラ切替信号を受信するように配置される切替受信モジュール５５２と、
コントローラ切替信号に基づいて、撮影パラメータに対応するダイヤル調節コントローラを、他の一つの撮影パラメータに対応するダイヤル調節コントローラに切り替えて表示するように配置されるコントローラ切替モジュール５５４とを、さらに備える。
【０１５４】
選択的に、前記パラメータ調節モジュール５８０は、
スライドタッチ信号が時計回り方向のスライド信号である場合、前記撮影パラメータを増大し、増大の幅と前記時計回り方向のスライド信号のスライド軌跡の軌跡の長さとが正の相関関係にあるように配置される第１の調節ユニットと、
前記スライドタッチ信号が反時計回り方向のスライド信号である場合、前記撮影パラメータを減少し、減少の幅と前記反時計回り方向のスライド信号のスライド軌跡の軌跡の長さとが正の相関関係にあるように配置される第２の調節ユニットとを備え、
または、
スライドタッチ信号が時計回り方向のスライド信号である場合、撮影パラメータを減少し、減少の幅と時計回り方向のスライド信号のスライド軌跡の軌跡の長さとが正の相関関係にあるように配置される第３の調節ユニットと、
スライドタッチ信号が反時計回り方向のスライド信号である場合、撮影パラメータを増大し、増大の幅と反時計回り方向のスライド信号のスライド軌跡の軌跡の長さとが正の相関関係にあるように配置される第３の調節ユニットと、
を備える。
【０１５５】
選択的に、パラメータ調節モジュール５８０は、
スライドタッチ信号のスライド速度が所定閾値を超えるか否かを検出するように配置される速度検出ユニットと、
スライドタッチ信号のスライド速度が所定閾値を超えた場合、撮影パラメータをディフォルト値に調節するように配置されるパラメータリセットユニットとを、さらに備える。
【０１５６】
選択的に、ダイヤル調節コントローラに、撮影パラメータに対応する目盛り標識が設置される。
【０１５７】
選択的に、撮影パラメータは、露光補正値、ホワイトバランス値、感光度、絞り値、フォーカスの焦点距離、およびシャッター速度のうちの少なくとも１種を含む。
【０１５８】
選択的に、当該装置は、オートフォーカスモジュール５９０をさらに備える。
【０１５９】
オートフォーカスモジュール５９０は、クリック信号のクリック位置をフォーカス位置として、オートフォーカスを行うように配置される。
【０１６０】
選択的に、当該装置は、さらに、変更表示モジュール（図示せず）を備える。
【０１６１】
変更表示モジュールは、オートフォーカスモジュール５９０がオートフォーカスをした後、スライド調節コントローラを変更して表示するように配置される。当該変更して表示されたスライド調節コントローラは、オートフォーカス終了を表示するために用いられる。
【０１６２】
選択的に、当該装置は、
オートフォーカスモジュール５９０がオートフォーカスを終了した後、スライド調節コントローラに作用したクリック信号を受信するように配置されるクリックモジュール５９２と、
クリックモジュール５９２がクリック信号を受信した後、撮影パラメータに基づいて撮影を行うように配置される撮影モジュール５９４とを、さらに備える。
【０１６３】
上記のように、本実施例に係る撮影パラメータの調節装置では、クリック信号のクリック位置を中心として、撮影パラメータに対応するスライド調節コントローラを表示し、スライド調節コントローラに作用したスライドタッチ信号を受信し、スライドタッチ信号に基づいて撮影パラメータを調節する。これにより、ユーザがタッチスクリーンにおけるボタンにより撮影パラメータを調節する場合、調節過程の操作階層が多すぎて効率が比較的低い問題を解決した。ユーザがスライド調節コントローラにおいて直接にスライドタッチ信号を用い、撮影パラメータを調節することができるため、操作過程全体は、とても簡単で敏捷であり、効率が比較的高いという効果を達成する。
【０１６４】
当該実施例に係る撮影パラメータの調節装置では、さらに、コントローラ切替信号に基づいて異なる撮影パラメータに対応するダイヤル調節コントローラに対して切替を行う技術案を提供し、ユーザがダイヤル調節コントローラにより異なる撮影パラメータに対して調節することができ、さらに操作効率の効果を向上させた。
【０１６５】
図７は、１つの例示的な実施例に係る撮影パラメータの調節装置を示すブロック図であり、当該撮影パラメータの調節装置は、ソフトウェア、ハードウェア、または両方の組み合わせにより実現され、撮影能力およびタッチスクリーンを備える電子機器の一部または全部になることができる。当該撮影パラメータの調節装置は、
タッチスクリーンに表示された撮影ファインダー上においてトリガーされるクリック信号を受信するように配置されるクリック受信モジュール５２０と、
クリック信号のクリック位置を参考位置として、撮影パラメータに対応するスライド調節コントローラを表示するように配置されるコントローラ表示モジュール５４０と、
スライド調節コントローラに作用したスライドタッチ信号を受信するように配置されるスライド受信モジュール５６０と、
スライドタッチ信号に基づいて撮影パラメータを調節するように配置されるパラメータ調節モジュール５８０とを、備える。
【０１６６】
一つの実現可能な形態において、コントローラ表示モジュール５４０は、クリック信号のクリック位置を円心として、同一の円心に基づいて、ｎ（ｎ≧２）個の撮影パラメータに対応するｎ個のダイヤル調節コントローラを表示し、各撮影パラメータが１個のダイヤル調節コントローラに対応するように配置され、ダイヤル調節コントローラの表示様式は、完全な円形、不完全な円形、完全な環形および不完全な環形のうちのいずれか１種である。
【０１６７】
選択的に、コントローラ表示モジュール５４０は、
異なる半径で同一の円心の同心円の様式でｎ個の撮影パラメータに対応するｎ個のダイヤル調節コントローラを表示するように配置される同心円表示ユニット５４２、
または
ｎ個のダイヤル調節コントローラにおける表示様式がいずれも不完全な円形または不完全な環形である場合、円心により位置決めされる同一環形における異なる弧度位置にｎ個のダイヤル調節コントローラを表示するように配置される弧度表示ユニット５４４、
を備える。
【０１６８】
選択的に、前記パラメータ調節モジュール５８０は、
スライドタッチ信号が時計回り方向のスライド信号である場合、前記撮影パラメータを増大し、増大の幅と前記時計回り方向のスライド信号のスライド軌跡の軌跡の長さとが正の相関関係にあるように配置される第１の調節ユニットと、
前記スライドタッチ信号が反時計回り方向のスライド信号である場合、前記撮影パラメータを減少し、減少の幅と前記反時計回り方向のスライド信号のスライド軌跡の軌跡の長さとが正の相関関係にあるように配置される第１の調節ユニットと、を備え、
または、
スライドタッチ信号が時計回り方向のスライド信号である場合、撮影パラメータを減少し、減少の幅と時計回り方向のスライド信号のスライド軌跡の軌跡の長さとが正の相関関係にあるように配置される第３の調節ユニットと、
スライドタッチ信号が反時計回り方向のスライド信号である場合、撮影パラメータを増大し、増大の幅と反時計回り方向のスライド信号のスライド軌跡の軌跡の長さとが正の相関関係にあるように配置される第３の調節ユニットと、を備える。
【０１６９】
選択的に、前記パラメータ調節モジュール５８０は、
スライドタッチ信号のスライド速度が所定閾値を超えるか否かを検出するように配置される速度検出ユニットと、
スライドタッチ信号のスライド速度が所定閾値を超えた場合、撮影パラメータをディフォルト値に調節するように配置されるパラメータリセットユニットとを、さらに備える。
【０１７０】
選択的に、ダイヤル調節コントローラに、撮影パラメータに対応する目盛り標識が設置される。
【０１７１】
選択的に、撮影パラメータは、露光補正値、ホワイトバランス値、感光度、絞り値、フォーカスの焦点距離、およびシャッター速度のうちの少なくとも１種を含む。
【０１７２】
選択的に、当該装置は、オートフォーカスモジュール５９０をさらに備え、
オートフォーカスモジュール５９０は、クリック信号のクリック位置をフォーカス位置として、フォーカスを行うように配置される。
【０１７３】
選択的に、当該装置は、さらに、変更表示モジュール（図示せず）を備える。
【０１７４】
変更表示モジュールは、オートフォーカスモジュール５９０がオートフォーカスをした後、スライド調節コントローラを変更して表示するように配置される。当該変更して表示されたスライド調節コントローラは、オートフォーカス終了を表示するために用いられる。
【０１７５】
選択的に、当該装置は、
オートフォーカスモジュール５９０がオートフォーカスを終了した後、スライド調節コントローラに作用したクリック信号を受信するように配置されるクリックモジュール５９２と、
クリックモジュール５９２がクリック信号を受信した後、撮影パラメータに基づいて撮影を行うように配置される撮影モジュール５９４とを、さらに備える。
【０１７６】
上記のように、本実施例に係る撮影パラメータの調節装置では、クリック信号のクリック位置を中心として、撮影パラメータに対応するスライド調節コントローラを表示し、スライド調節コントローラに作用したスライドタッチ信号を受信し、スライドタッチ信号に基づいて撮影パラメータを調節する。これにより、ユーザがタッチスクリーンにおけるボタンにより撮影パラメータを調節する場合、調節過程の操作階層が多すぎて効率が比較的低い問題を解決した。ユーザがスライド調節コントローラにおいて直接にスライドタッチ信号を用い、撮影パラメータを調節することができるため、操作過程全体は、とても簡単で敏捷であり、効率が比較的高いという効果を達成する。
【０１７７】
本実施例に係る撮影パラメータの調節装置は、さらに、同一の円心に基づいてｎ個の撮影パラメータに対応するｎ個のダイヤル調節コントローラを表示する技術案を提供し、ユーザがダイヤル調節コントローラにより複数の撮影パラメータに対して調節することができ、さらに操作効率の効果を向上させる。
【０１７８】
上記の実施例に係る装置において、各モジュールが操作を実行する具体的な方式は、該方法に関する実施例において詳しく説明したので、ここで、詳しく説明しない。
【０１７９】
図８は、例示的な実施例に係る装置８００を示すブロック図である。例えば、端末８００は、携帯電話、コンピュータ、デジタル放送端末、メッセージ送受信機器、ゲーム機、タブレット装置、医療機器、フィットネス機器、パーソナルデジタルアシスタントであってもよい。
【０１８０】
図８に示すように、端末８００は、プロセスアセンブリ８０２、メモリ８０４、電源アセンブリ８０６、マルチメディアアセンブリ８０８、オーディオアセンブリ８１０、入力／出力（Ｉ／Ｏ）インタフェース８１２、センサ・アセンブリ８１４、および通信アセンブリ８１６のような１つ以上のアセンブリを含んでよい。
【０１８１】
プロセスアセンブリ８０２は、一般的には装置８００全体の操作を制御するものであり、例えば、表示、電話呼び出し、データ通信、カメラ操作、及び記録操作と関連する操作を制御する。プロセスアセンブリ８０２は、１つ以上のプロセッサ８２０を含み、これらによって指令を実行することにより、上記の方法の全部、或は一部のステップを実現するようにしてもよい。なお、プロセスアセンブリ８０２は、一つ以上のモジュールを含み、これらによってプロセスアセンブリ８０２と他のアセンブリの間のインタラクションを容易にするようにしてもよい。例えば、プロセスアセンブリ８０２は、マルチメディアモジュールを含み、これらによってマルチメディアアセンブリ８０８とプロセスアセンブリ８０２の間のインタラクションを容易にするようにしてもよい。
【０１８２】
メモリ８０４は、各種類のデータを記憶することにより装置８００の操作を支援するように構成される。これらのデータの例は、装置８００において操作されるいずれのアプリケーションプログラム又は方法の命令、連絡対象データ、電話帳データ、メッセージ、画像、ビデオ等を含む。メモリ８０４は、いずれの種類の揮発性メモリ、不揮発性メモリ記憶デバイスまたはそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｂｅｒ）、磁気メモリ、フラッシュメモリ、磁気ディスク、或いは光ディスクである。
【０１８３】
電源アセンブリ８０６は、装置８００のの多様なアセンブリに電力を供給する。電源アセンブリ８０６は、電源管理システム、一つ以上の電源、及び装置８００のための電力の生成、管理及び割り当てに関連する他のアセンブリを含んでもよい。
【０１８４】
マルチメディアアセンブリ８０８は、前記装置８００とユーザの間に一つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スライド、及びタッチパネル上のジェスチャを検出することができる。前記タッチセンサは、タッチ、或はスライドの動作の境界だけでなく、前記のタッチ、或はスライド操作に係る継続時間及び圧力も検出できる。上記の実施例において、マルチメディアアセンブリ８０８は、一つのフロントカメラ、及び／又はリアカメラを含む。装置８００が、例えば撮影モード、或はビデオモード等の操作モードにある場合、フロントカメラ、及び／又はリアカメラは外部からマルチメディアデータを受信できる。フロントカメラとリアカメラのそれぞれは、一つの固定型の光レンズ系、或は可変焦点距離と光学ズーム機能を有するものであってもよい。
【０１８５】
オーディオアセンブリ８１０は、オーディオ信号を入出力するように構成されてもよい。例えば、オーディオアセンブリ８１０は、一つのマイク（ＭＩＣ）を含み、装置８００が、例えば呼出しモード、記録モード、及び音声認識モード等の操作モードにある場合、マイクは外部のオーディオ信号を受信することができる。受信されたオーディオ信号は、さらにメモリ８０４に記憶されたり、通信アセンブリ８１６を介して送信されたりされる。上記の実施例において、オーディオアセンブリ９１０は、オーディオ信号を出力するための一つのスピーカーをさらに含む。
【０１８６】
Ｉ／Ｏインターフェイス８１２は、プロセスアセンブリ８０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、起動ボタン、ロッキングボタンを含んでもよいが、これらに限定されない。
【０１８７】
センサアセンブリ８１４は、装置８００に各方面の状態に対する評価を提供するための一つ以上のセンサを含む。例えば、センサアセンブリ８１４は、装置８００のＯＮ／ＯＦＦ状態、装置８００のディスプレイとキーパッドのようなアセンブリの相対的な位置決めを検出できる。また、例えば、センサアセンブリ８１４は、装置８００、或は装置８００の一つのアセンブリの位置変更、ユーザと装置８００とが接触しているか否か、装置８００の方位、又は加速／減速、装置８００の温度の変化を検出できる。センサアセンブリ８１４は、何れの物理的接触がない状態にて付近の物体の存在を検出するための近接センサを含んでもよい。センサアセンブリ８１４は、撮影アプリケーションに適用するため、ＣＭＯＳ、又はＣＣＤ図像センサのような光センサを含んでもよい。上記の実施例において、当該センサアセンブリ８１４は、加速度センサ、ジャイロスコープセンサ、磁気センサ、圧力センサ、及び温度センサをさらに含んでもよい。
【０１８８】
通信アセンブリ８１６は、装置８００と他の機器の間に有線、又は無線形態の通信を提供する。装置８００は、例えばＷｉＦｉ、２Ｇ、３Ｇ、或はこれらの組み合わせのような、通信規格に基づいた無線ネットワークに接続されてもよい。一つの例示的な実施例において、通信アセンブリ８１６は、放送チャンネルを介して外部の放送管理システムからの放送信号、又は放送に関連する情報を受信する。一つの例示的な実施例において、前記通信アセンブリ８１６は、近距離無線通信（ＮＦＣ）モジュールをさらに含むことにより、近距離通信を推進するようにする。例えば、ＮＦＣモジュールは、ＲＦＩＤ（Ｒａｄｉｏ  Ｆｒｅｑｕｅｎｃｙ  ＩＤｅｎｔｉｆｉｃａｔｉｏｎ）技術、ＩｒＤＡ（Ｉｎｆｒａｒｅｄ  Ｄａｔａ  Ａｓｓｏｃｉａｔｉｏｎ）技術、ＵＷＢ（Ｕｌｔｒａ  Ｗｉｄｅ  Ｂａｎｄ）技術、ＢＴ（Ｂｌｕｅｔｏｏｔｈ）技術、他の技術に基づいて実現できる。
【０１８９】
例示的な実施例において、装置８００は、一つ以上のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）、ＤＳＰＤ（Ｄｉｇｉｔａｌ  Ｓｉｇｎａｌ  Ｐｒｏｃｅｓｓｉｎｇ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、または他の電子部品によって実現されるものであり、上記方法を実行する。
【０１９０】
例示的な実施例では、さらに、指令を含むコンピュータ読み取り可能な非一時的な記憶媒体、例えば、指令を含むメモリ８０４を提供しており、装置８００のプロセッサ８２０により前記指令を実行して上記方法を実現する。例えば、コンピュータ読み取り可能な非一時的な記憶媒体は、ＲＯＭ、ＲＡＭ、ＣＤ−ＲＯＭ、磁気テープ、フロッピーディスク、および光データ記憶デバイスなどであってもよい。
【０１９１】
コンピュータ読み取り可能な非一時的な記憶媒体は、装置８００のプロセッサにより前記記憶媒体における指令が実行される場合、装置８００に上記各実施例に係る撮影パラメータの調節方法を実行させることができる。
【０１９２】
当業者にとって、明細書を考慮してこの発明を実施した後、本発明のその他の実施の形態を容易に想到し得ることができる。本願は、本発明のいかなる変形、用途又は適応的変化をカバーすることを目的とし、これら変形、用途又は適応的変化は、本発明の一般的原理に従うとともに、本発明に開示されていない本技術分野における公知の常識又は慣用の技術手段を含む。明細書及び実施例は、例示的なものに過ぎず、本発明の本当の範囲及び主旨は、特許請求の範囲に含まれる。
【０１９３】
本発明は、以上のように説明すると共に図面に示された正確な構造に限られず、その要旨を逸脱しない範囲内で各種の補正及び変更を行うことができると理解すべきである。本発明の範囲は、特許請求の範囲のみで限定される。
【手続補正２】
【補正対象書類名】特許請求の範囲
【補正対象項目名】全文
【補正方法】変更
【補正の内容】
【特許請求の範囲】
【請求項１】
タッチスクリーンに表示された撮影ファインダー上においてトリガーされるクリック信号を受信するステップと、
前記クリック信号のクリック位置を参考位置として、撮影パラメータに対応するスライド調節コントローラを表示するステップと、
前記スライド調節コントローラに作用したスライドタッチ信号を受信するステップと、
前記スライドタッチ信号に基づいて前記撮影パラメータを調節するステップと、を含むことを特徴とする、
撮影パラメータの調節方法。
【請求項２】
前記クリック信号のクリック位置を参考位置として、撮影パラメータに対応するスライド調節コントローラを表示するステップは、
前記クリック信号のクリック位置を円心として、１個の撮影パラメータに対応するダイヤル調節コントローラを表示するステップを含み、
前記ダイヤル調節コントローラの表示様式は、完全な円形、不完全な円形、完全な環形、および不完全な環形のうちのいずれか１種であることを特徴とする、
請求項１に記載の方法。
【請求項３】
コントローラ切替信号を受信するステップと、
前記コントローラ切替信号に基づいて、前記撮影パラメータに対応するダイヤル調節コントローラを、他の一つの撮影パラメータに対応するダイヤル調節コントローラに切り替えて表示するステップとをさらに含むことを特徴とする、
請求項２に記載の方法。
【請求項４】
前記クリック信号のクリック位置を参考位置として、撮影パラメータに対応するスライド調節コントローラを表示するステップは、
前記クリック信号のクリック位置を円心として、同一の前記円心に基づいて、ｎ（ｎ≧２）個の撮影パラメータに対応するｎ個のダイヤル調節コントローラを表示し、各撮影パラメータが１個のダイヤル調節コントローラに対応するステップを含み、
前記ダイヤル調節コントローラの表示様式は、完全な円形、不完全な円形、完全な環形および不完全な環形のうちのいずれか１種であることを特徴とする、
請求項１に記載の方法。
【請求項５】
同一の前記円心に基づいて、ｎ個の撮影パラメータに対応するｎ個のダイヤル調節コントローラを表示するステップは、
異なる半径で同一の円心の同心円の様式でｎ個の撮影パラメータに対応するｎ個のダイヤル調節コントローラを表示するステップ、
または、
前記円心により位置決めされる同一環形における異なる弧度位置に、前記ｎ個のダイヤル調節コントローラを表示するステップ
を含むことを特徴とする、
請求項４に記載の方法。
【請求項６】
前記スライドタッチ信号に基づいて前記撮影パラメータを調節するステップは、
前記スライドタッチ信号が時計回り方向のスライド信号である場合、前記撮影パラメータを増大し、増大の幅と前記時計回り方向のスライド信号のスライド軌跡の軌跡の長さとが正の相関関係にあるステップと、
前記スライドタッチ信号が反時計回り方向のスライド信号である場合、前記撮影パラメータを減少し、減少の幅と前記反時計回り方向のスライド信号のスライド軌跡の軌跡の長さとが正の相関関係にあるステップとを含み、
または、
前記スライドタッチ信号が時計回り方向のスライド信号である場合、前記撮影パラメータを減少し、減少の幅と前記時計回り方向のスライド信号のスライド軌跡の軌跡の長さとが正の相関関係にあるステップと、
前記スライドタッチ信号が反時計回り方向のスライド信号である場合、前記撮影パラメータを増大し、増大の幅と前記反時計回り方向のスライド信号のスライド軌跡の軌跡の長さとが正の相関関係にあるステップとを含むことを特徴とする、
請求項２〜５のいずれか１項に記載の方法。
【請求項７】
前記スライドタッチ信号に基づいて前記撮影パラメータを調節するステップは、
前記スライドタッチ信号のスライド速度が所定閾値を超えるか否かを検出するステップと、
前記スライドタッチ信号のスライド速度が前記所定閾値を超えた場合、前記撮影パラメータをディフォルト値に調節するステップと、
を含むことを特徴とする、
請求項２〜５のいずれか１項に記載の方法。
【請求項８】
前記ダイヤル調節コントローラに、前記撮影パラメータに対応する目盛り標識が設置されることを特徴とする、請求項２〜５のいずれか１項に記載の方法。
【請求項９】
前記撮影パラメータは、露光補正値、ホワイトバランス値、感光度、絞り値、フォーカスの焦点距離、およびシャッター速度のうちの少なくとも１種を含むことを特徴とする、請求項１〜５のいずれか１項に記載の方法。
【請求項１０】
前記クリック信号のクリック位置をフォーカス位置として、オートフォーカスを行うステップをさらに含むことを特徴とする、
請求項１〜５のいずれか１項に記載の方法。
【請求項１１】
前記オートフォーカスを終了した後、前記スライド調節コントローラに作用したクリック信号を受信するステップと、
前記クリックモジュールが前記クリック信号を受信した後、前記撮影パラメータに基づいて撮影を行うステップとを、さらに含むことを特徴とする、
請求項１０に記載の方法。
【請求項１２】
タッチスクリーンに表示された撮影ファインダー上においてトリガーされるクリック信号を受信するように配置されるクリック受信モジュールと、
前記クリック信号のクリック位置を参考位置として、撮影パラメータに対応するスライド調節コントローラを表示するように配置されるコントローラ表示モジュールと、
前記スライド調節コントローラに作用したスライドタッチ信号を受信するように配置されるスライド受信モジュールと、
前記スライドタッチ信号に基づいて前記撮影パラメータを調節するように配置されるパラメータ調節モジュールと、を備えることを特徴とする、
撮影パラメータの調節装置。
【請求項１３】
前記コントローラ表示モジュールは、前記クリック信号のクリック位置を参考位置として、１個の撮影パラメータに対応するダイヤル調節コントローラを表示するように配置され、前記ダイヤル調節コントローラの表示様式は、完全な円形、不完全な円形、完全な環形、および不完全な環形のうちのいずれか１種であることを特徴とする、
請求項１２に記載の装置。
【請求項１４】
コントローラ切替信号を受信するように配置される切替受信モジュールと、
前記コントローラ切替信号に基づいて、前記撮影パラメータに対応するダイヤル調節コントローラを、他の一つの撮影パラメータに対応するダイヤル調節コントローラに切り替えて表示するように配置されるコントローラ切替モジュールとを、さらに備えることを特徴とする、
請求項１３に記載の装置。
【請求項１５】
前記コントローラ表示モジュールは、前記クリック信号のクリック位置を円心として、同一の前記円心に基づいて、ｎ個の撮影パラメータに対応するｎ（ｎ≧２）個のダイヤル調節コントローラを表示し、各撮影パラメータが１個のダイヤル調節コントローラに対応するように配置され、
前記ダイヤル調節コントローラの表示様式は、完全な円形、不完全な円形、完全な環形および不完全な環形のうちのいずれか１種であることを特徴とする、
請求項１２に記載の装置。
【請求項１６】
前記コントローラ表示モジュールは、
異なる半径で同一の円心の同心円の様式でｎ個の撮影パラメータに対応するｎ個のダイヤル調節コントローラを表示するように配置される同心円表示ユニット、
または、
前記円心により位置決めされる同一環形における異なる弧度位置に前記ｎ個のダイヤル調節コントローラを表示するように配置される弧度表示ユニット、
を備えることを特徴とする、
請求項１５に記載の装置。
【請求項１７】
前記パラメータ調節モジュールは、
前記スライドタッチ信号が時計回り方向のスライド信号である場合、前記撮影パラメータを増大し、増大の幅と前記時計回り方向のスライド信号のスライド軌跡の軌跡の長さとが正の相関関係にあるように配置される第１の調節ユニットと、
前記スライドタッチ信号が反時計回り方向のスライド信号である場合、前記撮影パラメータを減少し、減少の幅と前記反時計回り方向のスライド信号のスライド軌跡の軌跡の長さとが正の相関関係にあるように配置される第２の調節ユニットと、を備え、
または、
前記スライドタッチ信号が時計回り方向のスライド信号である場合、前記撮影パラメータを減少し、減少の幅と前記時計回り方向のスライド信号のスライド軌跡の軌跡の長さとが正の相関関係にあるように配置される第３の調節ユニットと、
前記スライドタッチ信号が反時計回り方向のスライド信号である場合、前記撮影パラメータを増大し、増大の幅と前記反時計回り方向のスライド信号のスライド軌跡の軌跡の長さとが正の相関関係にあるように配置される第４の調節ユニットと、を備えることを特徴とする、
請求項１３〜１６のいずれか１項に記載の装置。
【請求項１８】
前記パラメータ調節モジュールは、
前記スライドタッチ信号のスライド速度が所定閾値を超えるか否かを検出するように配置される速度検出ユニットと、
前記スライドタッチ信号のスライド速度が前記所定閾値を超えた場合、前記撮影パラメータをディフォルト値に調節するように配置されるパラメータリセットユニットと、を備えることを特徴とする、
請求項１３〜１６のいずれか１項に記載の装置。
【請求項１９】
前記ダイヤル調節コントローラに、前記撮影パラメータに対応する目盛り標識が設置されることを特徴とする、請求項１２〜１６のいずれか１項に記載の装置。
【請求項２０】
前記撮影パラメータは、露光補正値、ホワイトバランス値、感光度、絞り値、フォーカスの焦点距離、およびシャッター速度のうちの少なくとも１種を含むことを特徴とする、請求項１２〜１６のいずれか１項に記載の装置。
【請求項２１】
前記クリック信号のクリック位置をフォーカス位置として、オートフォーカスを行うように配置されるオートフォーカスモジュールをさらに備えることを特徴とする、
請求項１２〜１６のいずれか１項に記載の装置。
【請求項２２】
前記オートフォーカスを終了した後、前記スライド調節コントローラに作用したクリック信号を受信するように配置されるクリックモジュールと、
前記クリックモジュールが前記クリック信号を受信した後、前記撮影パラメータに基づいて撮影を行うように配置される撮影モジュールとを、さらに備えることを特徴とする、
請求項２１に記載の装置。
【請求項２３】
プロセッサと、
前記プロセッサが実行可能な指令を記憶するためのメモリと、を備え、
前記プロセッサは、
タッチスクリーンに表示された撮影ファインダー上においてトリガーされるクリック信号を受信し、
前記クリック信号のクリック位置を参考位置として、撮影パラメータに対応するスライド調節コントローラを表示し、
前記スライド調節コントローラに作用したスライドタッチ信号を受信し、
前記スライドタッチ信号に基づいて前記撮影パラメータを調節するように配置されることを特徴とする、
撮影パラメータの調節装置。
【請求項２４】
プロセッサに実行されることにより、請求項１から請求項１１のいずれかに記載の撮影パラメータの調節方法を実現することを特徴とするプログラム。
【請求項２５】
請求項２４に記載のプログラムが記録された記録媒体。
【国際調査報告】
2016533100.tif 000023
2016533100.tif 000024
2016533100.tif 000025
2016533100.tif 000026